(57)【特許請求の範囲】
【請求項１】
所定のデータ単位であるクリップ毎に分けて管理されるデータ、および、前記クリップ毎のデータの編集結果を示すエディットリストが記録されている記録媒体より、前記データを読み出して再生する再生手段と、
前記再生手段による前記データの再生の履歴情報を作成する作成手段と、
前記作成手段により作成された複数の前記履歴情報を１つのファイルとして前記記録媒体に記録する第１の記録手段と、
前記第１の記録手段により前記記録媒体に記録された前記ファイルを参照し、前記履歴情報を読み出す読み出し手段と
を備え、
前記作成手段は、前記履歴情報として、前記再生手段による再生の方法が、指定されたクリップのデータを再生するクリップ指定再生、指定されたエディットリストに従って前記エディットリストに含まれるクリップのデータを再生するエディットリスト指定再生、前記記録媒体に記録されている全てのクリップのデータを所定の順に再生するテープライク再生のいずれであるかを示す情報を含む情報を作成し、
前記読み出し手段は、前記再生手段が前記データを再生する際に、前記記録媒体に記録されている前記ファイルを参照し、前記再生手段による再生と同一の再生方法の履歴情報が存在するか否かを確認し、存在する場合、前記履歴情報を読み出し、
前記再生手段は、前記読み出し手段により前記履歴情報が読み出された場合、読み出された前記履歴情報に基づいて、再生するクリップおよび前記クリップの再生開始位置を決定し、その位置から前記クリップのデータを読み出して再生する
ことを特徴とする情報処理装置。
【請求項２】
前記データは、画像データ、音声データ、および前記画像データに付加されるメタデータの内、少なくとも１つを含む
ことを特徴とする請求項１に記載の情報処理装置。
【請求項３】
前記履歴情報は、前記再生手段による再生が終了されたクリップを示す情報をさらに含み、
前記再生手段は、前記読み出し手段により読み出された前記履歴情報に含まれる、前記クリップを示す情報に基づいて、前記記録媒体に記録されている複数の前記クリップの中から、再生するクリップを選択し、そのクリップのデータを読み出して再生する
ことを特徴とする請求項１に記載の情報処理装置。
【請求項４】
前記履歴情報は、前記再生手段による前記データの再生が終了された時の、前記データにおける位置を示す情報をさらに含み、
前記再生手段は、前記読み出し手段により読み出された前記履歴情報に含まれる、前記位置を示す情報に基づいて、前記再生開始位置を決定し、その位置から前記クリップのデータを読み出して再生する
ことを特徴とする請求項１に記載の情報処理装置。
【請求項５】
前記記録手段は、
前記作成手段により作成された第１の履歴情報の再生方法がクリップ指定再生である場合、前記第１の履歴情報と同一のクリップをクリップ指定再生する履歴情報である第２の履歴情報が前記ファイルに存在するか否かを確認し、前記第２の履歴情報が存在するとき、前記第２の履歴情報を前記ファイルから削除してから前記第１の履歴情報を前記ファイルに記録し、
前記第１の履歴情報の再生方法がエディットリスト指定再生である場合、前記第１の履歴情報と同一のエディットリストをエディットリスト指定再生する履歴情報である第３の履歴情報が前記ファイルに存在するか否かを確認し、前記第３の履歴情報が存在するとき、前記第３の履歴情報を前記ファイルから削除してから前記第１の履歴情報を前記ファイルに記録し、
前記第１の履歴情報の再生方法がテープライク再生である場合、テープライク再生の履歴情報である第４の履歴情報が前記ファイルに存在するか否かを確認し、前記第４の履歴情報が存在するとき、前記第４の履歴情報を前記ファイルから削除してから前記第１の履歴情報を前記ファイルに記録する
ことを特徴とする請求項１に記載の情報処理装置。
【請求項６】
前記データを前記記録媒体に記録する第２の記録手段をさらに備え、
前記第１の記録手段は、前記第２の記録手段により記録された前記データのファイルとは異なるファイルとして、前記履歴情報を前記記録媒体に記録する
ことを特徴とする請求項１に記載の情報処理装置。
【請求項７】
前記記録媒体に記録された前記データに関する情報を記録する第２の記録手段をさらに備え、
前記第１の記録手段は、前記第２の記録手段により記録された前記データに関する情報のファイルとは異なるファイルとして、前記履歴情報を前記記録媒体に記録する
ことを特徴とする請求項１に記載の情報処理装置。
【請求項８】
前記読み出し手段により読み出された前記履歴情報を保持する保持手段をさらに備え、
前記再生手段は、前記読み出し手段により読み出され、前記保持手段に保持されている前記履歴情報に基づいて、再生するクリップおよび前記クリップの再生開始位置を決定し、その位置から前記クリップのデータを読み出して再生する
ことを特徴とする請求項１に記載の情報処理装置。
【請求項９】
情報処理装置の情報処理方法であって、
作成手段が、所定のデータ単位であるクリップ毎に分けて管理されるデータ、および、前記クリップ毎のデータの編集結果を示すエディットリストが記録されている記録媒体より読み出されて再生される前記データの再生の履歴情報として、再生の方法が、指定されたクリップのデータを再生するクリップ指定再生、指定されたエディットリストに従って前記エディットリストに含まれるクリップのデータを再生するエディットリスト指定再生、前記記録媒体に記録されている全てのクリップのデータを所定の順に再生するテープライク再生のいずれであるかを示す情報を含む情報を作成し、
記録手段が、作成された複数の前記履歴情報を１つのファイルとして前記記録媒体に記録し、
読み出し手段が、前記データを再生する際に、前記記録媒体に記録されている前記ファイルを参照し、前記データの再生と同一の再生方法の履歴情報が存在するか否かを確認し、存在する場合、前記履歴情報を読み出し、
再生手段が、前記履歴情報が読み出された場合、読み出された前記履歴情報に基づいて、再生するクリップおよび前記クリップの再生開始位置を決定し、その位置から前記クリップのデータを読み出して再生する
ことを特徴とする情報処理方法。
【請求項１０】
所定のデータ単位であるクリップ毎に分けて管理されるデータ、および、前記クリップ毎のデータの編集結果を示すエディットリストが記録されている記録媒体に記録された前記データを再生するためにコンピュータを、
前記記録媒体より読み出されて再生される前記データの再生の履歴情報として、再生の方法が、指定されたクリップのデータを再生するクリップ指定再生、指定されたエディットリストに従って前記エディットリストに含まれるクリップのデータを再生するエディットリスト指定再生、前記記録媒体に記録されている全てのクリップのデータを所定の順に再生するテープライク再生のいずれであるかを示す情報を含む情報を作成する作成手段、
作成された複数の前記履歴情報を１つのファイルとして前記記録媒体に記録する記録手段、
前記データを再生する際に、前記記録媒体に記録されている前記ファイルを参照し、前記データの再生と同一の再生方法の履歴情報が存在するか否かを確認し、存在する場合、前記履歴情報を読み出す読み出し手段、
前記履歴情報が読み出された場合、読み出された前記履歴情報に基づいて、再生するクリップおよび前記クリップの再生開始位置を決定し、その位置から前記クリップのデータを読み出して再生する再生手段
として機能させるためのプログラム。
【請求項１１】
所定のデータ単位であるクリップ毎に分けて管理されるデータ、および、前記クリップ毎のデータの編集結果を示すエディットリストが記録されている記録媒体に記録された前記データを再生するためにコンピュータを、
前記記録媒体より読み出されて再生される前記データの再生の履歴情報として、再生の方法が、指定されたクリップのデータを再生するクリップ指定再生、指定されたエディットリストに従って前記エディットリストに含まれるクリップのデータを再生するエディットリスト指定再生、前記記録媒体に記録されている全てのクリップのデータを所定の順に再生するテープライク再生のいずれであるかを示す情報を含む情報を作成する作成手段、
作成された複数の前記履歴情報を１つのファイルとして前記記録媒体に記録する記録手段、
前記データを再生する際に、前記記録媒体に記録されている前記ファイルを参照し、前記データの再生と同一の再生方法の履歴情報が存在するか否かを確認し、存在する場合、前記履歴情報を読み出す読み出し手段、
前記履歴情報が読み出された場合、読み出された前記履歴情報に基づいて、再生するクリップおよび前記クリップの再生開始位置を決定し、その位置から前記クリップのデータを読み出して再生する再生手段
として機能させるためのプログラムを記録したコンピュータ読み取り可能な記録媒体。
【発明の詳細な説明】
【０００１】
【発明の属する技術分野】
本発明は情報処理装置および方法、プログラム、並びに記録媒体に関し、特に、例えば、より容易に再生処理を行うこと等ができるようにする情報処理装置および方法、プログラム、並びに記録媒体に関する。
【０００２】
【従来の技術】
従来、撮像や録音等により得られた画像データや音声データ等の素材データは、記録媒体である、ビデオテープ等のテープデバイスに記録されていた。すなわち、ユーザがその素材データを第１の装置から第２の装置に移動させる場合、その素材データは、テープデバイスを介して移動される。
【０００３】
このようなテープデバイスにおいては、通常、素材データは、テープの長手方向を時間軸とし、その時間軸に沿って記録される。従って、例えば、第１の装置において素材データの再生途中に（素材データの途中の位置で）その再生が停止され、第２の装置においてその再生停止位置から素材データの再生が再開されるような場合において、テープデバイスはその再生停止位置を物理的に（位置情報として）記録している。すなわち、再生が停止されると、テープデバイスのテープ送りも停止し、その位置が（再生停止位置として）保たれる。従って、このようなテープデバイスを、そのまま第２の装置のドライブに装着した場合、第２の装置は、そのテープデバイスの位置（すなわち、第１の装置における再生停止位置）から再生を開始することができる。
【０００４】
通常、編集作業は、再生された素材データを参照しながら行われるので、上述したような処理は、素材データを編集する場合においても行われる。例えば、第１の装置において編集作業中に編集処理を中断し、第２の装置において編集作業を再開する場合においても、上述したように、再生停止位置が保たれることにより、ユーザは、第２の装置において、第１の装置において編集処理を中断した位置から、編集作業を再開することができる。
【０００５】
【発明が解決しようとする課題】
しかしながら、近年、情報処理技術の向上に伴い、情報のデジタル化が進み、DVD（Digital Versatile Disc）等のディスクを記録媒体として利用するようになってきている。テープデバイスの場合、情報を読み取る装置の磁気ヘッドは、その位置が固定されているが、このようなディスクの場合、ディスクの情報を読み取る装置のピックアップの位置が移動するように為されている。
【０００６】
従って、上述したように、再生を中断し、他の装置に移動させた場合、素材データを記録するディスクは前回の再生停止位置を記録しておらず、素材データの先頭からしか再生を行うことができないという課題があった。従って、編集作業の場合も同様に、前回編集を中断した位置がわからなくなってしまうという課題もあった。
【０００７】
本発明はこのような状況に鑑みてなされたものであり、より容易に再生処理を行うことができるようにする等の、記録媒体の利便性を向上させることができるようにするものである。
【０００８】
【課題を解決するための手段】
本発明の情報処理装置は、所定のデータ単位であるクリップ毎に分けて管理されるデータ、および、クリップ毎のデータの編集結果を示すエディットリストが記録されている記録媒体より、データを読み出して再生する再生手段と、再生手段によるデータの再生の履歴情報を作成する作成手段と、作成手段により作成された複数の履歴情報を１つのファイルとして記録媒体に記録する第１の記録手段と、第１の記録手段により記録媒体に記録されたファイルを参照し、履歴情報を読み出す読み出し手段とを備え、作成手段は、履歴情報として、再生手段による再生の方法が、指定されたクリップのデータを再生するクリップ指定再生、指定されたエディットリストに従ってエディットリストに含まれるクリップのデータを再生するエディットリスト指定再生、記録媒体に記録されている全てのクリップのデータを所定の順に再生するテープライク再生のいずれであるかを示す情報を含む情報を作成し、読み出し手段は、再生手段がデータを再生する際に、記録媒体に記録されているファイルを参照し、再生手段による再生と同一の再生方法の履歴情報が存在するか否かを確認し、存在する場合、履歴情報を読み出し、再生手段は、読み出し手段により履歴情報が読み出された場合、読み出された履歴情報に基づいて、再生するクリップおよびクリップの再生開始位置を決定し、その位置からクリップのデータを読み出して再生することを備えることを特徴とする。
【０００９】
前記データは、画像データ、音声データ、および画像データに付加されるメタデータの内、少なくとも１つを含むようにすることができる。
【００１０】
前記履歴情報は、再生手段による再生が終了されたクリップを示す情報をさらに含み、再生手段は、読み出し手段により読み出された履歴情報に含まれる、クリップを示す情報に基づいて、記録媒体に記録されている複数のクリップの中から、再生するクリップを選択し、そのクリップのデータを読み出して再生することができる。
【００１１】
前記履歴情報は、再生手段によるデータの再生が終了された時の、データにおける位置を示す情報をさらに含み、再生手段は、読み出し手段により読み出された履歴情報に含まれる、位置を示す情報に基づいて、再生開始位置を決定し、その位置からクリップのデータを読み出して再生することができる。
【００１２】
前記記録手段は、作成手段により作成された第１の履歴情報の再生方法がクリップ指定再生である場合、第１の履歴情報と同一のクリップをクリップ指定再生する履歴情報である第２の履歴情報がファイルに存在するか否かを確認し、第２の履歴情報が存在するとき、第２の履歴情報をファイルから削除してから第１の履歴情報をファイルに記録し、第１の履歴情報の再生方法がエディットリスト指定再生である場合、第１の履歴情報と同一のエディットリストをエディットリスト指定再生する履歴情報である第３の履歴情報がファイルに存在するか否かを確認し、第３の履歴情報が存在するとき、第３の履歴情報をファイルから削除してから第１の履歴情報をファイルに記録し、第１の履歴情報の再生方法がテープライク再生である場合、テープライク再生の履歴情報である第４の履歴情報がファイルに存在するか否かを確認し、第４の履歴情報が存在するとき、第４の履歴情報をファイルから削除してから第１の履歴情報をファイルに記録することができる。
【００１３】
前記データを記録媒体に記録する第２の記録手段をさらに備え、第１の記録手段は、第２の記録手段により記録されたデータのファイルとは異なるファイルとして、履歴情報を記録媒体に記録することができる。
【００１４】
前記記録媒体に記録されたデータに関する情報を記録する第２の記録手段をさらに備え、第１の記録手段は、第２の記録手段により記録されたデータに関する情報のファイルとは異なるファイルとして、履歴情報を記録媒体に記録することができる。
【００１５】
前記読み出し手段により読み出された履歴情報を保持する保持手段をさらに備え、再生手段は、読み出し手段により読み出され、保持手段に保持されている履歴情報に基づいて、再生するクリップおよびそのクリップの再生開始位置を決定し、その位置からクリップのデータを読み出して再生することができる。
【００１６】
本発明の情報処理方法は、作成手段が、所定のデータ単位であるクリップ毎に分けて管理されるデータ、および、クリップ毎のデータの編集結果を示すエディットリストが記録されている記録媒体より読み出されて再生されるデータの再生の履歴情報として、再生の方法が、指定されたクリップのデータを再生するクリップ指定再生、指定されたエディットリストに従ってエディットリストに含まれるクリップのデータを再生するエディットリスト指定再生、記録媒体に記録されている全てのクリップのデータを所定の順に再生するテープライク再生のいずれであるかを示す情報を含む情報を作成し、記録手段が、作成された複数の履歴情報を１つのファイルとして記録媒体に記録し、読み出し手段が、データを再生する際に、記録媒体に記録されているファイルを参照し、データの再生と同一の再生方法の履歴情報が存在するか否かを確認し、存在する場合、履歴情報を読み出し、再生手段が、履歴情報が読み出された場合、読み出された履歴情報に基づいて、再生するクリップおよびクリップの再生開始位置を決定し、その位置からクリップのデータを読み出して再生することを特徴とする。
【００１７】
本発明のプログラムは、前記記録媒体より読み出されて再生される前記データの再生の履歴情報として、再生の方法が、指定されたクリップのデータを再生するクリップ指定再生、指定されたエディットリストに従って前記エディットリストに含まれるクリップのデータを再生するエディットリスト指定再生、前記記録媒体に記録されている全てのクリップのデータを所定の順に再生するテープライク再生のいずれであるかを示す情報を含む情報を作成する作成手段、作成された複数の前記履歴情報を１つのファイルとして前記記録媒体に記録する記録手段、前記データを再生する際に、前記記録媒体に記録されている前記ファイルを参照し、前記データの再生と同一の再生方法の履歴情報が存在するか否かを確認し、存在する場合、前記履歴情報を読み出す読み出し手段、前記履歴情報が読み出された場合、読み出された前記履歴情報に基づいて、再生するクリップおよび前記クリップの再生開始位置を決定し、その位置から前記クリップのデータを読み出して再生する再生手段としてコンピュータを機能させることを特徴とする。
【００１８】
本発明の記録媒体は、記録媒体より読み出されて再生されるデータの再生の履歴情報として、再生の方法が、指定されたクリップのデータを再生するクリップ指定再生、指定されたエディットリストに従ってエディットリストに含まれるクリップのデータを再生するエディットリスト指定再生、記録媒体に記録されている全てのクリップのデータを所定の順に再生するテープライク再生のいずれであるかを示す情報を含む情報を作成する作成手段、作成された複数の履歴情報を１つのファイルとして記録媒体に記録する記録手段、データを再生する際に、記録媒体に記録されているファイルを参照し、データの再生と同一の再生方法の履歴情報が存在するか否かを確認し、存在する場合、履歴情報を読み出す読み出し手段、履歴情報が読み出された場合、読み出された履歴情報に基づいて、再生するクリップおよびクリップの再生開始位置を決定し、その位置からクリップのデータを読み出して再生する再生手段としてコンピュータを機能させることを特徴とする。
【００１９】
本発明の情報処理装置および方法、プログラム、並びに記録媒体においては、所定のデータ単位であるクリップ毎に分けて管理されるデータ、および、クリップ毎のデータの編集結果を示すエディットリストが記録されている記録媒体より読み出されて再生されるデータの再生の履歴情報として、再生の方法が、指定されたクリップのデータを再生するクリップ指定再生、指定されたエディットリストに従ってエディットリストに含まれるクリップのデータを再生するエディットリスト指定再生、記録媒体に記録されている全てのクリップのデータを所定の順に再生するテープライク再生のいずれであるかを示す情報を含む情報が作成され、作成された複数の履歴情報が１つのファイルとして記録媒体に記録され、データが再生される際に、記録媒体に記録されているファイルが参照され、データの再生と同一の再生方法の履歴情報が存在するか否かが確認され、存在する場合、履歴情報が読み出され、履歴情報が読み出された場合、読み出された履歴情報に基づいて、再生するクリップおよびクリップの再生開始位置が決定され、その位置からクリップのデータが読み出されて再生される。
【００２３】
以下に、本発明の実施の形態について図面を参照して説明する。
【００２４】
図１は、本発明を適用した記録再生装置の構成例を示すブロック図である。
【００２５】
図１において、記録再生装置１のCPU（Central Processing Unit）１１は、ROM（Read Only Memory）１２に記憶されているプログラムに従って各種の処理を実行する。RAM（Random Access Memory）１３には、CPU１１が各種の処理を実行する上において必要なデータやプログラムなどが適宜記憶される。
【００２６】
情報保持部１４は、半導体メモリ等により構成される、情報を一時的に記憶する記憶部であり、後述するディスク３２より読み出された、ディスク３２に記録されている素材データに関する情報等を保持し、再生制御部１５や記録制御部１６等に制御され、保持している情報を提供したり、新たな情報を取得したりする。
【００２７】
再生制御部１５は、バス１７および入出力インタフェース２０を介してドライブ２６を制御し、ドライブ２６に装着されたディスク３２からの各種の情報の読み出しを制御する処理を行う。例えば、再生制御部１５は、ディスク３２に記録されているデータに関する情報を読み出し、情報保持部１４に供給させるような制御処理を実行する。記録制御部１６は、バス１７および入出力インタフェース２０を介してドライブ２６を制御し、ドライブ２６に装着されたディスク３２への各種の情報の書き込みを制御する処理を行う。例えば、記録制御部１６は、情報保持部１４に保持されているデータをディスク３２に記録させるような制御処理を実行する。
【００２８】
CPU１１、ROM１２、RAM１３、情報保持部１４、再生制御部１５、および記録制御部１６は、バス１７を介して相互に接続されている。このバス１７にはまた、入出力インタフェース２０も接続されている。
【００２９】
入出力インタフェース２０は、キーボードやマウスから構成される入力部２１が接続され、入力部２１に入力された信号をCPU１１に出力する。また、入出力インタフェース２０には、ディスプレイやスピーカなどから構成される出力部２２も接続されている。
【００３０】
さらに、入出力インタフェース２０には、ハードディスクやEEPROM（Electronically Erasable and Programmable Read Only Memory）などから構成される記憶部２３、および、有線または無線のネットワークなどを介して他の装置とデータの通信を行う通信部２４も接続されている。ドライブ２５は、磁気ディスク、光ディスク、光磁気ディスク、または半導体メモリなどの記録媒体からなるリムーバブルメディア３１よりプログラム、またはプログラムの実行に必要なデータを読み出したり、データやプログラムを書き込んだりするときに用いられる。
【００３１】
ドライブ２６は、ドライブ２６に装着されたディスク３２より画像データや音声データ等の素材データを読み出したり、ドライブ２６に装着されたディスク３２に素材データを記録したりする。
【００３２】
ディスク３２は、例えば、開口数（NA）０．８５、波長４０５nmの青紫色レーザを用いて、最小マーク長０．１４μｍ、トラックピッチ０．３２μｍの記録密度で大容量（例えば２７ギガバイト）のデータを記録可能な光ディスクである。なお、ディスク３２は、それ以外の記録媒体であってもよく、例えば、DVD-RAM（Digital Versatile Disc - Random Access Memory），DVD-R（DVD - Recordable），DVD-RW（DVD - ReWritable），DVD+R（DVD + Recordable），DVD＋RW（DVD + ReWritable），CD-R（Compact Disc - Recordable），またはCD-RW（CD - ReWritable）等の各種の光ディスクであってもよい。
【００３３】
図２は、図１の情報保持部１４の詳細な構成例を示すブロック図である。図２において、情報保持部１４は、ディスク３２に記録されている情報を管理するインデックスファイルを保持するインデックスファイル保持部５１、およびディスク３２に記録されている画像データや音声データの再生履歴などを含むディスクインフォメーションファイルを保持するディスクインフォメーションファイル保持部５２を有している。なお、情報保持部１４は、上述した以外の情報も保持することができる。
【００３４】
図３は、図１の再生制御部１５の詳細な構成例を示すブロック図である。図３において、再生制御部１５は、ドライブ２６に装着されたディスク３２より、インデックスファイルを読み出し、図２のインデックスファイル保持部５１に保持させる処理を実行するインデックスファイル読み出し部６１、ドライブ２６に装着されたディスク３２より、ディスクインフォメーションファイルを読み出し、図２のディスクインフォメーションファイル保持部５２に保持させる処理を行うディスクインフォメーションファイル読み出し部６２、および、ディスク３２より読み出され、ディスクインフォメーションファイル保持部５２に保持されているディスクインフォメーションファイルを管理する処理を行うディスクインフォメーションファイル管理部６３を有している。再生制御部１５は、ドライブ２６を制御し、ドライブ２６に装着されたディスク３２から画像データや音声データ等の素材データを読み出し、再生する処理を実行するとともに、インデックスファイル読み出し部６１やディスクインフォメーションファイル読み出し部６２等を用いて、素材データ以外のデータを読み出したり、ディスクインフォメーションファイル管理部６３等を用いて、読み出して保持してあるそれらのデータを管理したりする。
【００３５】
図４は、図１の記録制御部１６の詳細な構成例を示すブロック図である。図４において、記録制御部１６は、インデックスファイルを作成する処理を行うインデックスファイル作成部７１、インデックスファイル保持部５１に保持されているインデックスファイルを管理するインデックスファイル管理部７２、インデックスファイル保持部５１に保持されているインデックスファイルをドライブ２６に装着されたディスク３２に記録するインデックスファイル記録制御部７３、ディスクインフォメーションファイルを作成し、ディスクインフォメーションファイル保持部５２に保持させるディスクインフォメーションファイル作成部８１、および、ディスクインフォメーションファイル保持部５２に保持されているディスクインフォメーションファイルをディスク３２に記録する処理を実行するディスクインフォメーションファイル記録制御部８２を有している。記録制御部１６は、ドライブ２６を制御し、ドライブ２６に装着されたディスク３２に、画像データや音声データ等の素材データを記録する処理を実行するとともに、インデックスファイル作成部７１においてインデックスファイルを作成したり、インデックスファイル管理部７２においてインデックスファイル保持部５１に保持されているインデックスファイルを管理したり、インデックスファイル保持部５１に保持されているインデックスファイルを、ドライブ２６を介してディスク３２に記録する処理を実行したりする。
【００３６】
図２乃至図４を参照して説明した各部の機能の関係を、図５の機能ブロック図を参照して説明する。
【００３７】
インデックスファイルに関する処理を行うインデックス処理部１０１は、インデックスファイル保持部５１、インデックスファイル読み出し部６１、インデックスファイル作成部７１、インデックスファイル管理部７２、およびインデックスファイル記録制御部７３により構成される。
【００３８】
例えばディスクフォーマット処理１２２が実行され、ディスク３２のフォーマット処理が開始されると、インデックスファイル作成部７１は、ディスク３２に記録されるファイルの管理情報であるインデックスファイルを作成する。作成されたインデックスファイルは、インデックスファイル保持部５１を介して、インデックスファイル記録制御部７３に供給され、ドライブ２６に装着されたディスク３２に記録される。
【００３９】
画像データや音声データ等が記録されたディスク３２がドライブ２６に装着されると、インデックスファイル読み出し部６１は、ディスク３２よりインデックスファイルを読み出し、インデックスファイル保持部５１に保持させる。
【００４０】
また、ディスク３２に記録されている画像データや音声データを更新するクリップ・エディットリスト更新処理１２１が実行されると、インデックスファイル管理部７２は、その更新に応じて、インデックスファイル保持部５１に保持されているインデックスファイルを管理し、更新させる。そして、インデックスファイル記録制御部７３は、その更新されたインデックスファイルをインデックスファイル保持部５１より読み出し、ディスク３２に記録する。
【００４１】
なお、クリップは、撮像処理の回数の単位である。またそれ以外にも、クリップは、その撮像処理の撮像開始から撮像終了までの時間を示す単位を示したり、その撮像処理により得られた各種のデータの長さを示す単位を示したり、その撮像処理により得られた各種のデータのデータ量を示す単位を示したりする。さらに、クリップは、その各種のデータの集合体そのものも示す場合もある。
【００４２】
ディスクインフォメーションファイルに関する処理を行うディスクインフォメーション処理部１１１は、ディスクインフォメーションファイル保持部５２、ディスクインフォメーションファイル読み出し部６２、ディスクインフォメーションファイル作成部８１、ディスクインフォメーションファイル管理部６３、およびディスクインフォメーションファイル記録制御部８２により構成される。
【００４３】
例えばディスクフォーマット処理１２２が実行され、ディスク３２のフォーマット処理が開始されると、ディスクインフォメーションファイル作成部８１は、ディスク３２に記録された画像データや音声データ等の素材データの再生履歴を含むディスクインフォメーションファイルを作成する。作成されたディスクインフォメーションファイルは、ディスクインフォメーションファイル保持部５２を介して、ディスクインフォメーションファイル記録制御部８２に供給され、ドライブ２６に装着されたディスク３２に記録される。
【００４４】
画像データや音声データ等が記録されたディスク３２がドライブ２６に装着されると、ディスクインフォメーションファイル読み出し部６２は、ディスク３２よりディスクインフォメーションファイルを読み出し、ディスクインフォメーションファイル保持部５２に保持させる。
【００４５】
また、ディスク３２に記録されている素材データを再生する再生処理１２３が実行されると、再生制御部１５は、ディスクインフォメーションファイル保持部５２に保持されているディスクインフォメーションファイルの再生履歴を参照し、その再生履歴に基づいた位置より素材データの再生を開始する。そして、再生処理が終了すると、ディスクインフォメーションファイル管理部６３は、ディスクインフォメーションファイル保持部５２に保持されているディスクインフォメーションファイルの再生履歴を更新する。ディスクインフォメーションファイル記録制御部８２は、その更新されたディスクインフォメーションファイルをディスクインフォメーションファイル保持部５２より読み出し、ディスク３２に記録する。
【００４６】
以上のように、各操作指示に対応して、それぞれの指示に対応する各部が連携して処理を行うことにより、指示された操作が行われる。
【００４７】
その際、上述したように、再生履歴を記録するディスクインフォメーションファイルは、素材データの再生時（再生終了時）の処理（再生処理１２３）において更新される。これに対して、ディスク３２に記録されるファイルの管理情報であるインデックスファイルは、ディスク３２に記録されている画像データや音声データを更新時の処理（クリップ・エディットリスト更新処理１２１）において、素材データを含むファイルとともに更新される。すなわち、再生履歴（ディスクインフォメーションファイル）は、各種の素材データの再生時に更新され、素材データの記録時に更新される管理情報（インデックスファイル）等とは、その更新のタイミングが異なる。
【００４８】
さらに、通常、１度編集された素材データは何度も再生されることが多く、再生処理の回数は、編集処理の回数より多い。また、編集処理は、再生された素材データを参照しながら行われるため、素材データの再生処理は、単純に再生のみを目的とした再生時だけでなく、素材データの編集時（記録時）等においても実行される。すなわち、通常の場合、再生処理は、記録処理より頻繁に行われる。
【００４９】
従って、上述したように、再生履歴をディスクインフォメーションファイルとして、ディスク３２に記録されるファイルの管理情報等のような他の情報と異なるファイルとして管理することにより、図１の記録再生装置１は、再生履歴を更新する際に、ディスクインフォメーションファイルのみを更新すればよいので、更新が不要な他の情報を更新する必要がなく、更新時に誤って他の情報を破壊してしまうことを抑制することができる。
【００５０】
また、再生履歴のみが独立したファイルとして管理されるので、図１の記録再生装置１は、再生履歴の更新時に更新するデータ量を減らすことができ、更新処理の負荷や処理時間を軽減させることができる。換言すると、再生履歴が他の情報と同じファイルに記録されている場合と比較して、再生履歴の更新処理に必要なメモリ量等のリソースを削減させることができるので、記録再生装置１の製造コストを削減することができる。
【００５１】
次に、上述した各処理の具体的な流れについて説明する。
【００５２】
例えば、ユーザにより入力部２１が操作される等して、ドライブ２６に装着されたディスク３２のフォーマット処理の実行が指示されると、図１の記録再生装置１の各部はディスクフォーマット処理を開始する。
【００５３】
ディスクフォーマット処理を、図６のフローチャートを参照して説明する。
【００５４】
最初にステップＳ１１において、記録制御部１６は、ドライブ２６に装着されたディスク３２に対して、UDF（Universal Disk Format）フォーマット処理を実行し、UDFによる論理フォーマット処理を行う。次に、記録制御部１６は、ステップＳ１２に処理を進め、ディスク３２内にUDFに基づいて、ルートディレクトリの下にProAVディレクトリを作成してディスク３２に記録し、ステップＳ１３において、画像データや音声データ等の素材データ、およびその素材データに関する情報等のファイルを収めるクリップルートディレクトリを、ProAVディレクトリの下に作成してディスク３２に記録し、ステップＳ１４において、クリップルートディレクトリの下に格納される素材データ等のファイル群であるクリップを非破壊編集した編集結果（編集情報）を収めるエディットリストルートディレクトリをProAVディレクトリの下に作成してディスク３２に記録する。
【００５５】
ステップＳ１５において、記録制御部１６のインデックスファイル作成部７１は、XML（eXtensible Markup Language）を用いて、インデックスファイルを作成し、インデックスファイル保持部５１に保持させる。そして、インデックスファイル記録制御部７３は、インデックスファイル保持部５１に保持されたインデックスファイルをディスク３２に記録し、ステップＳ１６に処理を進める。
【００５６】
ステップＳ１６において、記録制御部１６のディスクインフォメーションファイル作成部８１は、XMLを用いて、ディスクインフォメーションファイルを作成し、ディスクインフォメーションファイル保持部５２に保持させる。そして、ディスクインフォメーションファイル記録制御部８２は、ディスクインフォメーションファイル保持部５２に保持されたディスクインフォメーションファイルをディスク３２に記録し、ディスクフォーマット処理を終了する。
【００５７】
以上のようにディスクフォーマット処理を行うことにより、再生履歴をディスクインフォメーションファイルとして、ディスク３２に記録されるファイルの管理情報等のような他の情報と異なるファイルとして管理することができるので、図１の記録再生装置１は、再生履歴を更新する際に、ディスクインフォメーションファイルのみを更新すればよくなり、更新時に誤って、更新が不要な他の情報を破壊してしまうことを抑制することができる。
【００５８】
また、再生履歴のみが独立したファイルとして管理されるので、図１の記録再生装置１は、再生履歴の更新時に更新するデータ量を減らすことができ、更新処理の負荷や処理時間を軽減させることができる。換言すると、再生履歴が他の情報と同じファイルに記録されている場合と比較して、再生履歴の更新処理に必要なメモリ量等のリソースを削減させることができるので、記録再生装置１の製造コストを削減することができる。
【００５９】
図７乃至図１０に、インデックスファイルの具体的な記述例を示す。なお、図７乃至図１０において、各行頭の数字は、説明の便宜上付加したものであり、XML記述の一部ではない。
【００６０】
上述したようにインデックスファイルは、ディスク３２内に記録されたファイルの情報を管理するファイルであり、具体的には、図６のステップＳ１２において作成されたProAVディレクトリ以下のファイルの情報を管理している。これらのファイルの情報は、図７の２行目の開始タグから、図１０の１６行目の終了タグまでの間に記述されている。
【００６１】
クリップルートディレクトリの下に格納されるクリップについては、図７の４行目の開始タグから、図９の２４行目の終了タグまでの間にクリップテーブルとして記述されている。図７乃至図９に示されるように、この場合、クリップルートディレクトリの下には４つのクリップが格納されており、第１のクリップについては、図７の６行目から図７の２３行目までに記述されており、第２のクリップについては、図７の２５行目から図８の１３行目までの間に記述されており、第３のクリップについては、図８の１５行目から図９の３行目までの間に記述されており、第４のクリップについては、図９の５行目から図９の２３行目までの間に記述されている。
【００６２】
例えば、図７の６行目および７行目には、第１のクリップ全体に関する情報が記述されており、図７の８行目および９行目には、第１のクリップの画像データに関する情報が記述されており、図７の１０行目乃至１７行目には、４チャンネルの音声データに関する情報が、チャンネルごとに記述されている。
【００６３】
また、図７の１８行目および１９行目には、上述した画像データや音声データに対応する低解像度の、画像データや音声データからなる素材データであるサブストリームに関する情報が記述されており、図７の２０行目および２１行目には、クリップに付加されるメタデータであるクリップメタデータに関する情報が記述されており、図７の２２行目には、このクリップの画像データに、フレーム単位で付加されるフレームメタデータに関する情報が記述されている。
【００６４】
また、説明は省略するが、第２のクリップ乃至第４のクリップについても、上述した第１のクリップの場合と同様に、各クリップに関する情報、および各クリップを構成するファイルに関する情報が記述されている。
【００６５】
このように、インデックスファイルには、ディスク３２に記録されているクリップに関する情報、および各クリップを構成するファイルに関する情報が、クリップテーブルとしてテーブル化されて記録されている。
【００６６】
また、エディットリストルートディレクトリの下に格納されるエディットリストについては、図９の２５行目の開始タグから、図１０の１５行目の終了タグまでの間にエディットリストテーブルとして記述されている。図７乃至図１０に示されるように、この場合、エディットリストルートディレクトリの下には４つのエディットリストが格納されており、第１のエディットリストについては、図９の２６行目から図１０の１行目までに記述されており、第２のエディットリストについては、図１０の２行目から図１０の５行目までの間に記述されており、第３のエディットリストについては、図１０の６行目から図１０の９行目までの間に記述されており、第４のエディットリストについては、図１０の１０行目から図１０の１４行目までの間に記述されている。
【００６７】
このように、インデックスファイルには、ディスク３２に記録されているエディットリストに関する情報が、エディットリストテーブルとしてテーブル化されて記録されている。
【００６８】
図６のステップＳ１５の処理を行うことにより、図７乃至図１０に示されるような、XMLで記述されたインデックスファイルが生成され、ディスク３２に記録される。なお、図６のステップＳ１５の処理を行った時点では、クリップやエディットリストは、ディスク３２に記録されていないので、図７乃至図１０に示されるようなクリップやエディットリストの情報は存在しない。図１の記録再生装置１は、クリップやエディットリストをディスク３２に記録した後、インデックスファイルをディスク３２より読み込むことにより、ディスク３２に記録されているクリップやエディットリストに関する情報を取得することができる。
【００６９】
図１１に、ディスクインフォメーションファイルの具体的な記述例を示す。なお、図１１において、各行頭の数字は、説明の便宜上付加したものであり、XML記述の一部ではない。
【００７０】
上述したようにディスクインフォメーションファイルは、ディスク３２内に記録されたクリップやエディットリスト等の素材データの再生履歴を管理するファイルである。このような再生履歴は、図１１の２行目の開始タグから１１行目の終了タグまでの間に記述されている。
【００７１】
例えば、図１１の４行目には、クリップ単位の再生であるクリップ指定再生が行われたことが記述されており、その再生の終了位置（画像データのフレーム番号）が記述されている。すなわち、この場合、クリップ「Ｃ０００３」が「００：３０：１２：２３」の位置（フレーム）で停止したことが示されている。なお、「００：３０：１２：２３」は、クリップ単位のタイムコード（FTC：File Time Code）であり、クリップの先頭フレーム（第１フレーム）を「００：００：００：００」とするタイムコードである。すなわち、図１１の場合、クリップ「Ｃ０００３」は、先頭フレームから３０分１２秒２３フレーム目で停止している。
【００７２】
また、図１１の５行目には、エディットリスト単位の再生であるエディットリスト指定再生が行われたことが記述されており、その再生の終了位置（フレーム番号）が記述されている。すなわち、この場合、エディットリスト「Ｅ０００１」が「００：００：００：１５」の位置（フレーム）で停止したことが示されている。なお、エディットリストは、クリップの編集結果であるため、複数のクリップに対応する場合があり、その場合、エディットリスト指定再生においては、複数のクリップ（の一部）が再生される。しかしながら、この再生履歴として記録されるFTCは、編集結果を１つのクリップとしたタイムコードであり、複数のクリップを再生する場合であっても、編集結果における先頭フレーム（最初に再生されるクリップの先頭フレーム）を「００：００：００：００」としてフレームをカウントする。従って、再生するクリップが途中で変化しても、再生履歴のFTCの値は「００：００：００：００」には戻らない。
【００７３】
さらに、図１１の６行目には、ディスク３２に記録されている全てのクリップをテープデバイスに記録された場合のように順番に再生するテープライク再生が行われたことが記述されており、その再生の終了位置（画像データのフレーム番号）が記述されている。すなわち、この場合、クリップ「Ｃ０００３」の「００：０２：２３：１２」の位置（フレーム）で停止したことが示されている。なお、この場合は、この再生履歴として記録されるFTCは、クリップ毎のタイムコードであり、再生するクリップが途中で変化しても、再生履歴のFTCの値は「００：００：００：００」には戻らない。
【００７４】
同様に、図１１の７行目には、エディットリスト指定再生の履歴情報が記述されており、８行目および９行目には、それぞれ、クリップ指定再生の履歴情報が記述されている。
【００７５】
このように、ディスクインフォメーションファイルには、ディスク３２に記録されているクリップやエディットリスト等の素材データの再生履歴が、６件分記録されている。なお、このディスクインフォメーションファイルが記録する再生履歴の件数は何件であってもよい。
【００７６】
なお、この４行目乃至９行目の再生履歴は９行目から古い順に整列されている。すなわち、９行目の履歴が最も古く、４行目の履歴が最も新しく、新たな履歴が登録される際は、最も古い履歴が削除される。また、この再生履歴には、同一のクリップまたはエディットリストが同一の再生方法で再生された複数の履歴（同種の履歴）は存在しないように為されている。すなわち、上述した６件の再生履歴は、必ず、再生方法か若しくは再生されたクリップまたはエディットリストが異なるように為されており、現在登録されている履歴と同種の履歴が新たに登録される場合は、古いほうの履歴が削除される。
【００７７】
図６のステップＳ１６の処理を行うことにより、図１１に示されるような、XMLで記述されたディスクインフォメーションファイルが生成され、ディスク３２に記録される。
【００７８】
このように、再生履歴をディスクインフォメーションファイルとして、例えばインデックスファイル等のような他の情報と異なるファイルとして管理することにより、図１の記録再生装置１は、再生履歴を更新する際に、ディスクインフォメーションファイルのみを更新すればよくなり、更新時に誤って、更新が不要な他の情報を破壊してしまうことを抑制することができる。
【００７９】
また、再生履歴のみが独立したファイルとして管理されるので、図１の記録再生装置１は、再生履歴の更新時に更新するデータ量を減らすことができ、更新処理の負荷や処理時間を軽減させることができる。換言すると、再生履歴が他の情報と同じファイルに記録されている場合と比較して、再生履歴の更新処理に必要なメモリ量等のリソースを削減させることができるので、記録再生装置１の製造コストを削減することができる。
【００８０】
なお、図６のステップＳ１６の処理を行った時点では、クリップやエディットリストは、ディスク３２に記録されていないので、その再生履歴も存在しない。従って、ディスクインフォメーションファイルの再生履歴は空の状態で作成される。このように作成されたディスクインフォメーションファイルを用いて再生履歴をディスク３２に保存し、再生時にこの再生履歴を利用することにより、図１の記録再生装置１は、再生処理を中断し、例えばディスク３２をドライブ２６から一度外して、再度装着した場合においても、再生処理を中断した位置（フレーム）から、再生処理を再開することができる。
【００８１】
次に、ディスク３２に記録された各データを管理するファイルシステム、並びにファイルシステムにおけるディレクトリ構造およびファイルについて説明する。
【００８２】
ディスク３２に記録されたデータは、例えばUDF等のファイルシステムにより管理される。なお、ファイルシステムは、UDFに限らず、例えば、ISO9660（International Organization for Standardization 9660）等、記録再生装置１が対応できるファイルシステムであればどのようなものであってもよい。また、ディスク３２の代わりにハードディスク等の磁気ディスクを用いた場合、ファイルシステムとして、FAT（File Allocation Tables）、NTFS（New Technology File System）、HFS（Hierarchical File System）、またはUFS（Unix（登録商標） File System）等を用いてもよい。また、専用のファイルシステムを用いるようにしてもよい。
【００８３】
このファイルシステムにおいては、ディスク３２に記録されたデータは図１２乃至図１４に示されるようなディレクトリ構造およびファイルにより管理される。
【００８４】
図１２において、ルートディレクトリ（ROOT）２０１には、画像データや音声データ等の素材データに関する情報、および、それらの素材データの編集結果を示すエディットリスト等が、下位のディレクトリに配置されるPROAVディレクトリ２０２が設けられる。
【００８５】
PROAVディレクトリ２０２には、ディスク３２に記録されている全ての素材データに対するタイトルやコメント、さらに、ディスク３２に記録されている全ての画像データの代表となるフレームである代表画に対応する画像データのパス等の情報を含むファイルであるディスクメタファイル（DISCMETA.XML）２０３、ディスク３２に記録されている全てのクリップおよびエディットリストを管理するための管理情報等を含むインデックスファイル（INDEX.XML）２０４、およびインデックスファイル（INDEX.BUP）２０５が設けられている。なお、インデックスファイル２０５は、インデックスファイル２０４を複製したものであり、２つのファイルを用意することにより、信頼性の向上が図られている。
【００８６】
PROAVディレクトリ２０２には、さらに、ディスク３２に記録されているデータ全体に対するメタデータであり、例えば、再生履歴等の情報を含むファイルであるディスクインフォメーションファイル（DISCINFO.XML）２０６およびディスクインフォメーションファイル（DISKINFO.BUP）２０７が設けられている。なお、ディスクインフォメーションファイル２０７は、ディスクインフォメーションファイル２０６を複製したものであり、２つのファイルを用意することにより、信頼性の向上が図られている。
【００８７】
また、PROAVディレクトリ２０２には、上述したファイル以外にも、クリップのデータが下位のディレクトリに設けられるクリップルートディレクトリ（CLPR）２０８、および、エディットリストのデータが下位のディレクトリに設けられるエディットリストルートディレクトリ（EDTR）２０９が設けられる。
【００８８】
クリップルートディレクトリ２０８には、ディスク３２に記録されているクリップのデータが、クリップ毎に異なるディレクトリに分けて管理されており、例えば、図１２の場合、３つのクリップのデータが、クリップディレクトリ（C0001）２１１、クリップディレクトリ（C0002）２１２、および、クリップディレクトリ（C0003）２１３の３つのディレクトリに分けられて管理されている。すなわち、ディスク３２に記録された最初のクリップの各データは、クリップディレクトリ２１１の下位のディレクトリのファイルとして管理され、２番目にディスク３２に記録されたクリップの各データは、クリップディレクトリ２１２の下位のディレクトリのファイルとして管理され、３番目にディスク３２に記録されたクリップの各データは、クリップディレクトリ２１３の下位のディレクトリのファイルとして管理される。
【００８９】
また、エディットリストルートディレクトリ２０９には、ディスク３２に記録されているエディットリストが、その編集処理毎に異なるディレクトリに分けて管理されており、例えば、図１２の場合、４つのエディットリストが、エディットリストディレクトリ（E0001）２１４、エディットリストディレクトリ（E0002）２１５、エディットリストディレクトリ（E0003）２１６、およびエディットリストディレクトリ（E0004）２１７の４つのディレクトリに分けて管理されている。すなわち、ディスク３２に記録されたクリップの１回目の編集結果を示すエディットリストは、エディットリストディレクトリ２１４の下位のディレクトリのファイルとして管理され、２回目の編集結果を示すエディットリストは、エディットリストディレクトリ２１５の下位のディレクトリのファイルとして管理され、３回目の編集結果を示すエディットリストは、エディットリストディレクトリ２１６の下位のディレクトリのファイルとして管理され、４回目の編集結果を示すエディットリストは、エディットリストディレクトリ２１７の下位のディレクトリのファイルとして管理される。
【００９０】
上述したクリップルートディレクトリ２０８に設けられるクリップディレクトリ２１１の下位のディレクトリには、最初にディスク３２に記録されたクリップの各データが、図１３に示されるようなファイルとして設けられ、管理される。
【００９１】
図１３の場合、クリップディレクトリ２１１には、このクリップを管理するファイルであるクリップインフォメーションファイル（C0001C01.SMI）２２１、このクリップの画像データを含むファイルである画像データファイル（C0001V01.MXF）２２２、それぞれ、このクリップの各チャンネルの音声データを含む８つのファイルである音声データファイル（C0001A01.MXF乃至C0001A08.MXF）２２３乃至２３０、このクリップのサブストリームデータを含むファイルであるローレゾデータファイル（C0001S01.MXF）２３１、このクリップの素材データに対応する、リアルタイム性を要求されないメタデータであるクリップメタデータを含むファイルであるクリップメタデータファイル（C0001M01.XML）２３２、このクリップの素材データに対応する、リアルタイム性を要求されるメタデータであるフレームメタデータを含むファイルであるフレームメタデータファイル（C0001R01.BIM）２３３、並びに、画像データファイル２２２のフレーム構造（例えば、MPEG等におけるピクチャ毎の圧縮形式に関する情報や、ファイルの先頭からのオフセットアドレス等の情報）が記述されたファイルであるピクチャポインタファイル（C0001I01.PPF）２３４等のファイルが設けられる。
【００９２】
図１３の場合、再生時にリアルタイム性を要求されるデータである、画像データ、ローレゾデータ、およびフレームメタデータは、それぞれ１つのファイルとして管理され、読み出し時間が増加しないようになされている。
【００９３】
また、音声データも、再生時にリアルタイム性を要求されるが、7.1チャンネル等のような音声の多チャンネル化に対応するために、８チャンネル用意され、それぞれ、異なるファイルとして管理されている。すなわち、音声データは８つのファイルとして管理されるように説明したが、これに限らず、音声データに対応するファイルは、７つ以下であってもよいし、９つ以上であってもよい。
【００９４】
同様に、画像データ、ローレゾデータ、およびフレームメタデータも、場合によって、それぞれ、２つ以上のファイルとして管理されるようにしてもよい。
【００９５】
また、図１３において、リアルタイム性を要求されないクリップメタデータは、リアルタイム性を要求されるフレームメタデータと異なるファイルとして管理される。これは、画像データ等の通常の再生中に必要の無いメタデータを読み出さないようにするためであり、このようにすることにより、再生処理の処理時間や、処理に必要な負荷を軽減することができる。
【００９６】
なお、クリップメタデータファイル２３２は、汎用性を持たせるためにXML形式で記述されているが、フレームメタデータファイル１６３は、再生処理の処理時間や処理に必要な負荷を軽減させるために、XML形式のファイルをコンパイルしたBIM形式のファイルである。
【００９７】
図１３に示されるクリップディレクトリ２１１のファイルの構成例は、ディスク３２に記録されている各クリップに対応する全てのクリップディレクトリにおいて適用することができる。すなわち、図１２に示される、その他のクリップディレクトリ２１２および２１３においても、図１３に示されるファイルの構成例を適用することができるので、その説明を省略する。
【００９８】
以上において、１つのクリップに対応するクリップディレクトリに含まれる各ファイルについて説明したが、ファイルの構成は上述した例に限らず、各クリップディレクトリの下位のディレクトリに、そのクリップに対応するクリップメタデータファイルが存在すれば、どのような構成であってもよい。
【００９９】
次に、図１２のエディットリストルートディレクトリ２０９の下位のディレクトリにおけるファイルの構成例について説明する。上述したエディットリストルートディレクトリ２０９に設けられるエディットリストディレクトリ２１５の下位のディレクトリには、ディスク３２に記録されたクリップの各データの２回目の編集結果に関する情報であるエディットリストのデータが、図１４に示されるようなファイルとして設けられ、管理される。
【０１００】
図１４の場合、エディットリストディレクトリ２１５には、この編集結果（エディットリスト）を管理するファイルであるエディットリストファイル（E0002E01.SMI）２４１、この編集後の素材データ（編集に用いられた全クリップの素材データの内、編集後のデータとして抽出された部分）に対応するクリップメタデータ、または、そのクリップメタデータに基づいて新たに生成されたクリップメタデータを含むファイルであるエディットリスト用クリップメタデータファイル（E0002M01.XML）２４２が設けられる。
【０１０１】
エディットリスト用クリップメタデータファイル２４２は、後述するように、編集結果に基づいて、編集に使用されたクリップのクリップメタデータ（クリップルートディレクトリ２０８の下位のディレクトリに存在するクリップメタデータファイル）に基づいて生成された新たなクリップメタデータを含むファイルである。例えば、編集が行われると、図１３のクリップメタデータファイル２３２に含まれるクリップメタデータから、編集後のエッセンスデータに対応する部分が抽出され、それらを用いて、編集後の素材データを１クリップとする新たなクリップメタデータが再構成され、エディットリスト用クリップメタデータファイルとして管理される。すなわち、編集後の素材データには、編集後のエッセンスデータを１クリップとする新たなクリップメタデータが付加され、そのクリップメタデータが１つのエディットリスト用クリップメタデータファイルとして管理される。従って、このエディットリスト用クリップメタデータファイルは、編集毎に生成される。
【０１０２】
なお、このエディットリスト用クリップメタデータファイル２４２は、汎用性を持たせるために、XML形式で記述される。
【０１０３】
図１４に示されるエディットリストディレクトリ２１５のファイルの構成例は、全てのエディットリスト（編集結果）において適用することができる。すなわち、図１２に示される、その他のエディットリストディレクトリ２１４、２１６、または２１７においても、図１４に示されるファイルの構成例を適用することができるので、その説明を省略する。
【０１０４】
以上において、１回の編集作業に対応するエディットリストディレクトリに含まれる各ファイルについて説明したが、ファイルの構成は上述した例に限らず、各エディットリストディレクトリの下位のディレクトリに、その編集に対応するエディットリスト用クリップメタデータファイルが存在すれば、どのような構成であってもよい。
【０１０５】
以上のように、再生履歴をディスクインフォメーションファイルとして、例えばインデックスファイル等のような他の情報と異なるファイルとして管理することにより、図１の記録再生装置１は、再生履歴を更新する際に、ディスクインフォメーションファイルのみを更新すればよくなり、更新時に誤って、更新が不要な他の情報を破壊してしまうことを抑制することができる。
【０１０６】
また、再生履歴のみが独立したファイルとして管理されるので、図１の記録再生装置１は、再生履歴の更新時に更新するデータ量を減らすことができ、更新処理の負荷や処理時間を軽減させることができる。換言すると、再生履歴が他の情報と同じファイルに記録されている場合と比較して、再生履歴の更新処理に必要なメモリ量等のリソースを削減させることができるので、記録再生装置１の製造コストを削減することができる。
【０１０７】
次に、インデックスファイルを更新するタイミングにおける処理について具体的に説明する。
【０１０８】
上述したように、インデックスファイルは、ディスク３２に記録されているクリップやエディットリストが更新される際に、更新される。従って、まず、ディスク３２は、ユーザ等により図１に示される記録再生装置１のドライブ２６に装着される。ドライブ２６においてディスク３２を検出すると、記録再生装置１は、図１５に示されるフローチャートのように処理を行い、ディスク３２に記録されているインデックスファイルをインデックスファイル保持部５１に展開し、ディスク３２に記録されているクリップやエディットリスト等の構成を把握する。
【０１０９】
図１５のフローチャートを参照して、ユーザがドライブ２６にディスク３２を挿入（装着）した際に実行されるディスク挿入処理について説明する。
【０１１０】
ディスク３２がドライブ２６に挿入されると、記録再生装置１のインデックスファイル読み出し部６１は、ステップＳ３１において、ドライブ２６を介して、ディスク３２よりインデックスファイルを読み込み、インデックスファイル保持部５１に供給し保持させる。次に、ステップＳ３２において、ディスクインフォメーションファイル読み出し部６２は、ドライブ２６を介して、ディスク３２よりディスクインフォメーションファイルを読み込み、ディスクインフォメーションファイル保持部５２に保持させる。ディスクインフォメーションファイルを読み込んだ記録再生装置１の各部は、ディスク挿入処理を終了する。
【０１１１】
なお、ディスクインフォメーションファイルは、ディスク挿入処理において読み込まれないようにし、記録再生装置１がディスクインフォメーションファイルを参照したり、更新したりする度に、ディスクインフォメーションファイル読み出し部６１によって、上述したステップＳ３２の処理と同様に読み込まれるようにしてもよい。
【０１１２】
インデックスファイルは、上述したように、ディスク３２に記録されたクリップやエディットリストに関する情報を管理するファイルである。従って、インデックスファイルの更新は、例えば、クリップの追加時、更新時、或いは削除時、または、エディットリストの追加時、更新時、或いは削除時に行われる。
【０１１３】
最初に、クリップの追加時に実行されるクリップ追加処理を、図１６のフローチャートを参照して説明する。必要に応じて、図１７および図１８を参照して説明する。
【０１１４】
ユーザ等により、ディスク３２に新たなクリップの追加が指示されると、記録再生装置１の記録制御部１６は、ステップＳ５１において、ディスク３２のクリップルートディレクトリの下に新たなクリップディレクトリを作成する。その際、クリップディレクトリ名は、既存のクリップディレクトリ名と重複しないように設定する。
【０１１５】
次に、記録制御部１６は、ステップＳ５２において、ステップＳ５１の処理において作成したクリップディレクトリの下にクリップインフォメーションファイルを作成する。
【０１１６】
図１７および図１８は、XMLで記述されたクリップインフォメーションファイルの具体的な記述例を示す図である。なお、図１７および図１８において、各行頭の数字は、説明の便宜上付加したものであり、XML記述の一部ではない。
【０１１７】
上述したようにクリップインフォメーションファイルは、そのクリップインフォメーションファイルと同じクリップディレクトリ内に存在する他のファイルに関する情報を管理するファイルであり、それらのファイルの再生方法についても記述されている。
【０１１８】
図１７および図１８に示されるように、クリップインフォメーションファイルのXML記述は、大きく分けて、ヘッダタグ（<head> </head>）で囲まれるヘッダ部と、ボディタグ（<body> </body>）で囲まれるボディ部により構成される。図１７および図１８の場合、ヘッダ部は、図１７の３行目から図１７の１０行目までに記述されており、ボディ部は、図１７の１１行目から図１８の２３行目に記述されている。
【０１１９】
ヘッダ部には、同じクリップディレクトリに存在するクリップメタデータファイルの情報が記述されており、ボディ部には、同じクリップディレクトリに存在する、クリップメタデータファイル以外のファイルの情報が再生方法とともに記述されている。
【０１２０】
例えば、図１７の６行目乃至８行目には、クリップメタデータファイルの情報が記述されている。また、図１７の１６行目乃至１８行目には、画像データファイルの情報が記述されており、図１７の１９行目乃至２１行目には、チャンネル１の音声データファイルの情報が記述されており、図１７の２２行目乃至２４行目には、チャンネル２の音声データファイルの情報が記述されており、図１７の２５行目乃至２７行目には、チャンネル３の音声データファイルの情報が記述されており、図１７の２８行目乃至図１８の１行目には、チャンネル４の音声データファイルの情報が記述されており、図１８の２行目乃至４行目には、チャンネル５の音声データファイルの情報が記述されており、図１８の５行目乃至７行目には、チャンネル６の音声データファイルの情報が記述されており、図１８の８行目乃至１０行目には、チャンネル７の音声データファイルの情報が記述されており、図１８の１１行目乃至１３行目には、チャンネル８の音声データファイルの情報が記述されている。
【０１２１】
また、図１８の１６行目乃至１８行目には、サブストリームであるローレゾデータファイルの情報が記述されており、図１８の２１行目には、フレームメタデータファイルの情報が記述されている。
【０１２２】
以上のように、クリップインフォメーションファイルのXML記述には、同じクリップディレクトリ内に存在する他のファイルに関する情報が記述されている。
【０１２３】
図１６に戻り、ステップＳ５３において、記録制御部１６は、ステップＳ５１の処理において作成したクリップディレクトリの下に、クリップを構成する素材データ毎に各ファイルを作成する。例えば、追加するクリップが画像データと、音声データと、クリップメタデータで構成される場合、記録制御部１６は、その画像データ、音声データ、およびクリップメタデータを互いに異なるファイルとして記録する。
【０１２４】
ステップＳ５３の処理を終了した記録制御部１６は、ステップＳ５４に処理を進める。ステップＳ５４において、記録制御部１６のインデックスファイル管理部７２は、インデックスファイル保持部５１に保持されているインデックスファイルのクリップテーブルに追加したクリップに対応するクリップの情報（以下、クリップ要素と称する）を追加する。
【０１２５】
このようにしてクリップの追加を反映するように、インデックスファイル保持部５１に保持されているインデックスファイルのクリップテーブルが更新されると、インデックスファイル記録制御部７３は、ステップＳ５５において、インデックスファイル保持部５１に保持されている、更新されたインデックスファイルを、ディスク３２に既存のインデックスファイルに上書きして記録する（更新する）。ディスク３２のインデックスファイルを更新したインデックスファイル記録制御部７３は、クリップ追加処理を終了する。
【０１２６】
以上のようにして、クリップを追加することにより、ディスク３２に記録されているインデックスファイルは、クリップの追加時に更新される。
【０１２７】
次に、クリップの更新時に実行されるクリップ更新処理を、図１９のフローチャートを参照して説明する。
【０１２８】
例えば、クリップの素材データそのものを実際に編集する処理（以下、破壊編集と称する）を行った後などに、ユーザ等により、ディスク３２に存在するクリップの上書き保存（更新）が指示されると、記録再生装置１の記録制御部１６は、最初に、ステップＳ７１において、上書きが指示されたクリップディレクトリの、UDF等のファイルシステムが管理する属性情報を参照し、ステップＳ７２において更新が可能か否かを判定する。例えば、上書き対象のクリップディレクトリの属性が「書き込み可能」であり、更新可能であると判定した場合、記録制御部１６は、ステップＳ７３に処理を進め、そのクリップの素材データ等を含む各ファイルを更新し、ステップＳ７４において、クリップインフォメーションファイルを、各ファイルの更新を反映するように更新する。
【０１２９】
クリップディレクトリ以下のファイルの更新が完了すると、ステップＳ７５において、記録制御部１６のインデックスファイル管理部７２は、インデックスファイル保持部５１に保持されているインデックスファイルのクリップテーブルを更新する。
【０１３０】
インデックスファイル保持部５１に保持されているインデックスファイルのクリップテーブルが更新され、クリップの更新が反映されると、インデックスファイル記録制御部７３は、ステップＳ７６において、インデックスファイル保持部５１より更新されたインデックスファイルを取得し、そのインデックスファイルに対応する、ディスク３２に記録されているインデックスファイルに上書きするように、取得したインデックスファイルをディスク３２に記録する。インデックスファイルの記録が終了すると、インデックスファイル記録制御部７３は、クリップ更新処理を終了する。
【０１３１】
また、ステップＳ７２において、例えば、上書き対象のクリップディレクトリの属性が「書き込み不可」であり、更新不可能であると判定した場合、記録制御部１６は、ステップＳ７７に処理を進め、エラー処理を行い、例えば、出力部２２を介して警告情報をディスプレイに表示させる等して、クリップ更新処理を終了する。
【０１３２】
以上のようにして、クリップを更新することにより、ディスク３２に記録されているインデックスファイルは、クリップの更新時に更新される。
【０１３３】
また、上述したように、クリップの更新時に、処理の対象となるクリップディレクトリの属性情報を参照することにより、記録制御部１６は、指示されたクリップが上書き可能であるか否かを容易に判定することができる。
【０１３４】
次に、クリップの削除時に実行されるクリップ削除処理を、図２０のフローチャートを参照して説明する。
【０１３５】
例えば、ユーザ等により、ディスク３２に存在するクリップの削除が指示されると、記録再生装置１の記録制御部１６は、最初に、ステップＳ９１において、削除が指示されたクリップディレクトリの、UDF等のファイルシステムが管理する属性情報を参照し、ステップＳ９２において削除が可能か否かを判定する。例えば、削除対象のクリップディレクトリの属性が「書き込み可能」であり、削除可能であると判定した場合、記録制御部１６は、ステップＳ９３に処理を進め、そのクリップディレクトリ（および、クリップディレクトリの下に配置された全てのファイル）を削除する。
【０１３６】
クリップディレクトリ以下のファイルをクリップディレクトリごと削除すると、ステップＳ９４において、記録制御部１６のインデックスファイル管理部７２は、インデックスファイル保持部５１に保持されているインデックスファイルのクリップテーブルから、削除されたクリップディレクトリに対応するクリップ要素を削除する。
【０１３７】
インデックスファイル保持部５１に保持されているインデックスファイルのクリップテーブルが更新され、クリップの削除が反映されると、インデックスファイル記録制御部７３は、ステップＳ９５において、インデックスファイル保持部５１より更新されたインデックスファイル（削除されたクリップディレクトリに対応するクリップ要素が削除されたインデックスファイル）を取得し、そのインデックスファイルに対応する、ディスク３２に記録されているインデックスファイルに上書きするように、取得したインデックスファイルをディスク３２に記録する。インデックスファイルの記録が終了すると、インデックスファイル記録制御部７３は、クリップ削除処理を終了する。
【０１３８】
また、ステップＳ９２において、例えば、削除対象のクリップディレクトリの属性が「書き込み不可」であり、削除不可能であると判定した場合、記録制御部１６は、ステップＳ９６に処理を進め、エラー処理を行い、例えば、出力部２２を介して警告情報をディスプレイに表示させる等して、クリップ削除処理を終了する。
【０１３９】
以上のようにして、クリップを削除することにより、ディスク３２に記録されているインデックスファイルは、クリップの削除時に更新される。
【０１４０】
また、上述したように、クリップの削除時に、処理の対象となるクリップディレクトリの属性情報を参照することにより、記録制御部１６は、指示されたクリップが削除可能であるか否かを容易に判定することができる。
【０１４１】
次に、エディットリストの追加時に実行されるエディットリスト追加処理を、図２１のフローチャートを参照して説明する。必要に応じて、図２２を参照して説明する。
【０１４２】
例えば、ディスク３２に記録されているクリップに対して、元の素材データを更新せずに編集を行い、その編集情報であるエディットリストを作成する処理（以下、非破壊編集と称する）が行われた後に、ユーザ等により、ディスク３２に新たなエディットリストの追加が指示されると、記録再生装置１の記録制御部１６は、ステップＳ１１１において、ディスク３２のルートディレクトリの下に新たなエディットリストディレクトリを作成する。その際、エディットリストディレクトリ名は、既存のエディットリストディレクトリ名と重複しないように設定する。
【０１４３】
次に、記録制御部１６は、ステップＳ１１２において、ステップＳ１１１の処理において作成したエディットリストディレクトリの下にエディットリストファイルを作成する。
【０１４４】
図２２は、XMLで記述されたエディットリストファイルの具体的な記述例を示す図である。なお、図２２において、各行頭の数字は、説明の便宜上付加したものであり、XML記述の一部ではない。
【０１４５】
上述したようにエディットリストファイルは、クリップの非破壊編集の編集情報を含むファイルであり、その編集結果の再生方法についても記述されている。
【０１４６】
図２２に示されるように、エディットリストファイルのXML記述は、大きく分けて、ヘッダタグ（<head> </head>）で囲まれるヘッダ部と、ボディタグ（<body> </body>）で囲まれるボディ部により構成される。図２２の場合、ヘッダ部は、図２２の３行目から１０行目までに記述されており、ボディ部は、１１行目から２４行目に記述されている。
【０１４７】
ヘッダ部には、同じエディットリストディレクトリに存在するエディットリストメタデータファイルの情報が記述されており、ボディ部には、編集結果の情報が再生方法とともに記述されている。図２２の場合、第１のクリップ（Clip１）と第２のクリップ（Clip２）の２つのクリップをつなぐように合体する編集が行われていることが、ボディ部に記述されている。
【０１４８】
すなわち、図２２においては、１２行目および２３行目に記述されている、囲んだクリップを順に再生することを示すパラレルタグ（<par> </par>）の間において、１４行目乃至１７行目に第１のクリップに関する情報が記述されており、１９行目乃至２２行目に第２のクリップに関する情報が記述されており、これらの２つのクリップが連続して再生されるように編集されていることが示されている。
【０１４９】
以上のように、エディットリストファイルのXML記述には、クリップの非破壊編集の編集情報が記述されている。
【０１５０】
図２１に戻り、ステップＳ１１３において、記録制御部１６は、ステップＳ１１１の処理において作成したエディットリストディレクトリの下に、エディットリストを構成する、例えばエディットリストメタデータファイルのような、エディットリストファイル以外の各ファイルを作成する。
【０１５１】
ステップＳ１１３の処理を終了した記録制御部１６は、ステップＳ１１４に処理を進める。ステップＳ１１４において、記録制御部１６のインデックスファイル管理部７２は、インデックスファイル保持部５１に保持されているインデックスファイルのエディットリストテーブルに、追加したエディットリストに対応するエディットリストの情報（以下、エディットリスト要素と称する）を追加する。
【０１５２】
このようにしてエディットリストの追加を反映するように、インデックスファイル保持部５１に保持されているインデックスファイルのエディットリストテーブルが更新されると、インデックスファイル記録制御部７３は、ステップＳ１１５において、インデックスファイル保持部５１に保持されている、更新されたインデックスファイルを、ディスク３２に既存のインデックスファイルに上書きして記録する（更新する）。ディスク３２のインデックスファイルを更新したインデックスファイル記録制御部７３は、エディットリスト追加処理を終了する。
【０１５３】
以上のようにして、エディットリストを追加することにより、ディスク３２に記録されているインデックスファイルは、エディットリストの追加時に更新される。
【０１５４】
次に、エディットリストの更新時に実行されるエディットリスト更新処理を、図２３のフローチャートを参照して説明する。
【０１５５】
例えば、記録再生装置１においてディスク３２に既存のエディットリストファイルの編集が行われた後などに、ユーザ等により、ディスク３２に存在するエディットリストの上書き保存（更新）が指示されると、記録再生装置１の記録制御部１６は、最初に、ステップＳ１３１において、上書きが指示されたエディットリストディレクトリの、UDF等のファイルシステムが管理する属性情報を参照し、ステップＳ１３２において更新が可能か否かを判定する。例えば、上書き対象のエディットリストディレクトリの属性が「書き込み可能」であり、更新可能であると判定した場合、記録制御部１６は、ステップＳ１３３に処理を進め、そのエディットリストの、エディットリストファイル以外の各ファイルを更新し、ステップＳ１３４において、エディットリストファイルを、各ファイルの更新を反映するように更新する。
【０１５６】
エディットリストディレクトリ以下のファイルの更新が完了すると、ステップＳ１３５において、記録制御部１６のインデックスファイル管理部７２は、インデックスファイル保持部５１に保持されているインデックスファイルのエディットリストテーブルを更新する。
【０１５７】
インデックスファイル保持部５１に保持されているインデックスファイルのエディットリストテーブルが更新され、エディットリストの更新が反映されると、インデックスファイル記録制御部７３は、ステップＳ１３６において、インデックスファイル保持部５１より更新されたインデックスファイルを取得し、そのインデックスファイルに対応する、ディスク３２に記録されているインデックスファイルに上書きするように、取得したインデックスファイルをディスク３２に記録する。インデックスファイルの記録が終了すると、インデックスファイル記録制御部７３は、エディットリスト更新処理を終了する。
【０１５８】
また、ステップＳ１３２において、例えば、上書き対象のエディットリストディレクトリの属性が「書き込み不可」であり、更新不可能であると判定した場合、記録制御部１６は、ステップＳ１３７に処理を進め、エラー処理を行い、例えば、出力部２２を介して警告情報をディスプレイに表示させる等して、エディットリスト更新処理を終了する。
【０１５９】
以上のようにして、エディットリストを更新することにより、ディスク３２に記録されているインデックスファイルは、エディットリストの更新時に更新される。
【０１６０】
また、上述したように、エディットリストの更新時に、処理の対象となるエディットリストディレクトリの属性情報を参照することにより、記録制御部１６は、指示されたエディットリストが上書き可能であるか否かを容易に判定することができる。
【０１６１】
次に、エディットリストの削除時に実行されるエディットリスト削除処理を、図２４のフローチャートを参照して説明する。
【０１６２】
例えば、ユーザ等により、ディスク３２に存在するエディットリストの削除が指示されると、記録再生装置１の記録制御部１６は、最初に、ステップＳ１５１において、削除が指示されたエディットリストディレクトリの、UDF等のファイルシステムが管理する属性情報を参照し、ステップＳ１５２において削除が可能か否かを判定する。例えば、削除対象のエディットリストディレクトリの属性が「書き込み可能」であり、削除可能であると判定した場合、記録制御部１６は、ステップＳ１５３に処理を進め、そのエディットリストディレクトリ（および、エディットリストディレクトリの下に配置された全てのファイル）を削除する。
【０１６３】
エディットリストディレクトリ以下のファイルをエディットリストディレクトリごと削除すると、ステップＳ１５４において、記録制御部１６のインデックスファイル管理部７２は、インデックスファイル保持部５１に保持されているインデックスファイルのエディットリストテーブルから、削除されたエディットリストディレクトリに対応するエディットリスト要素を削除する。
【０１６４】
インデックスファイル保持部５１に保持されているインデックスファイルのエディットリストテーブルが更新され、エディットリストの削除が反映されると、インデックスファイル記録制御部７３は、ステップＳ１５５において、インデックスファイル保持部５１より更新されたインデックスファイル（削除されたエディットリストディレクトリに対応するエディットリスト要素が削除されたインデックスファイル）を取得し、そのインデックスファイルに対応する、ディスク３２に記録されているインデックスファイルに上書きするように、取得したインデックスファイルをディスク３２に記録する。インデックスファイルの記録が終了すると、インデックスファイル記録制御部７３は、エディットリスト削除処理を終了する。
【０１６５】
また、ステップＳ１５２において、例えば、削除対象のエディットリストディレクトリの属性が「書き込み不可」であり、削除不可能であると判定した場合、記録制御部１６は、ステップＳ１５６に処理を進め、エラー処理を行い、例えば、出力部２２を介して警告情報をディスプレイに表示させる等して、エディットリスト削除処理を終了する。
【０１６６】
以上のようにして、エディットリストを削除することにより、ディスク３２に記録されているインデックスファイルは、エディットリストの削除時に更新される。
【０１６７】
また、上述したように、エディットリストの削除時に、処理の対象となるエディットリストディレクトリの属性情報を参照することにより、記録制御部１６は、指示されたエディットリストが削除可能であるか否かを容易に判定することができる。
【０１６８】
次に、ディスクインフォメーションファイルを更新するタイミングにおける処理について具体的に説明する。
【０１６９】
ディスクインフォメーションファイルは、上述したように、ディスク３２に記録されたクリップやエディットリストの再生履歴を管理するファイルである。従って、ディスクインフォメーションファイルの更新は、例えば、テープライク再生、エディットリスト指定再生、または、クリップ指定再生等の再生処理を終了する際に行われる。
【０１７０】
最初に、ディスク３２に記録されている全てのクリップをテープデバイスに記録された場合のように順番に再生する場合に実行されるテープライク再生処理を、図２５および図２６のフローチャートを参照して説明する。
【０１７１】
ユーザ等にテープライク再生が指示されると、再生制御部１５のディスクインフォメーション管理部６３は、ステップＳ２０１において、情報保持部１４のディスクインフォメーションファイル保持部５２に保持されているディスクインフォメーションファイルを参照し、その再生履歴にテープライク再生の履歴が存在するか否かを判定する。
【０１７２】
なお、ディスク挿入時にディスクインフォメーションファイルを読み込んでいない場合、ステップＳ２０１において、ディスクインフォメーションファイル読み出し部６２がディスク３２上のディスクインフォメーションファイルからテープライク再生の履歴を読み出す処理を行い、ディスクインフォメーション管理部６３は、ディスクインフォメーションファイル読み出し部６２がテープライク再生の履歴を読み出せたか否かに基づいて、再生履歴にテープライク再生の履歴が存在するか否かを判定する。
【０１７３】
図２５のステップＳ２０１において、テープライク再生の履歴が存在すると判定した場合、ディスクインフォメーションファイル管理部６３は、ステップＳ２０２に処理を進める。ステップＳ２０２において、再生制御部１５は、その再生履歴において指定されたフレームを再生開始フレームとしてディスク３２より読み込み、ステップＳ２０４に処理を進める。
【０１７４】
また、ステップＳ２０１において、テープライク再生の履歴が存在しないと判定した場合、ディスクインフォメーションファイル管理部６３は、ステップＳ２０３に処理を進める。ステップＳ２０３において、再生制御部１５は、インデックスファイル保持部５１に保持されているインデックスファイルのクリップテーブルに基づいて、最初のクリップの先頭フレームを再生開始フレームとしてディスク３２より読み込み、ステップＳ２０４に処理を進める。
【０１７５】
なお、最初のクリップとは、図７乃至図１０に示されるようなインデックスファイルのXML記述において、最初に再生するように指示されているクリップのことであり、先頭フレームとは、インデックスファイルのXML記述等で指定された、最初に再生するフレームのことである。従って、最初のフレームはクリップの素材データの第１フレームとは限らない。例えば、インデックスファイルのXML記述においてそのクリップの途中のフレームから再生するように指示されている場合は、そのフレームが最初のフレームとなる。
【０１７６】
ステップＳ２０４において、再生制御部１５は、再生開始位置変更指示を受け付けたか否かを判定する。例えば、ユーザが入力部２１を操作して、再生開始位置変更の指示を入力した場合、再生制御部１５は、再生開始位置変更指示を受け付けたと判定し、ステップＳ２０５に処理を進め、インデックスファイル保持部５１に保持されているインデックスファイルのクリップテーブルに基づいて、指定されたフレームを再生開始フレームとしてディスク３２より読み込み、ステップＳ２０６に処理を進める。また、ステップＳ２０４において、再生開始位置変更指示を受け付けていないと判定した場合、再生制御部１５は、ステップＳ２０５の処理を省略し、ステップＳ２０６に処理を進める。
【０１７７】
ステップＳ２０６において、再生制御部１５は、テープライク再生処理を終了するか否かを判定する。テープライク再生処理を終了しないと判定した場合、再生制御部１５は、ステップＳ２０７に処理を進め、再生開始指示を受け付けたか否かを判定する。再生開始指示を受け付けていないと判定した場合、再生制御部１５は、ステップＳ２０４に処理を戻し、それ以降の処理を繰り返す。
【０１７８】
すなわち、再生制御部１５は、ステップＳ２０４乃至Ｓ２０７の処理を繰り返しながら、再生開始指示を受け付けるか、または、テープライク再生処理を終了するまで待機する。そして、ステップＳ２０７において、再生開始指示を受け付けたと判定した場合、再生制御部１５は、ステップＳ２０８において、インデックスファイル保持部５１に保持されているインデックスファイルのクリップテーブルに基づいて、再生開始フレームからの再生を開始する。再生を開始すると、再生制御部１５は、図２６のステップＳ２３１に処理を進める。
【０１７９】
また、ステップ図２５のステップＳ２０６において、ユーザの指示等に基づいて、テープライク再生処理を終了すると判定した場合、再生制御部１５のディスクインフォメーションファイル管理部６３は、ステップＳ２０９に処理を進め、ディスクインフォメーションファイルの再生履歴を更新する。このとき、ディスクインフォメーションファイルが、ディスク挿入処理の際にディスク３２より読み出され、ディスクインフォメーションファイル保持部５２に保持されている場合は、ディスクインフォメーションファイル管理部６３は、ディスクインフォメーションファイル保持部５２に保持されているディスクインフォメーションファイルの再生履歴を更新する。また、ディスクインフォメーションファイルが、ディスク挿入処理の際にディスク３２より読み出されておらず、ディスク３２にしか存在しない場合、ディスクインフォメーションファイル管理部６３は、ディスクインフォメーションファイル記録制御部８２に更新する再生履歴（ディスクインフォメーションファイル）を供給し、ディスクインフォメーションファイル記録制御部８２は、供給された再生履歴を用いて、ディスク３２に記録されているディスクインフォメーションファイルを更新する。なお、ディスクインフォメーションファイルの更新の詳細については、図３１および図３２のフローチャートを参照して後述する。
【０１８０】
ディスクインフォメーションファイルが更新されると、再生制御部１５は、ステップＳ２１０において終了処理を実行し、テープライク再生処理を終了する。
【０１８１】
図２５のステップＳ２０８において、クリップの再生が開始されると、再生制御部１５は、図２６のステップＳ２３１において、再生停止指示を受け付けたか否かを判定する。再生停止指示を受け付けておらず再生処理を続けると判定した場合、再生制御部１５は、ステップＳ２３２に処理を進め、現在のクリップの再生が終了したか否かを判定し、終了していないと判定した場合、再生制御部１５は、ステップＳ２３１に処理を戻し、再生処理をそのまま続ける。
【０１８２】
ステップＳ２３２において、現在のクリップの再生が終了したと判定した場合、再生制御部１５は、ステップＳ２３３に処理を進め、図７乃至図１０に示されるようなインデックスファイルのXML記述に基づいて、次に再生するクリップが存在するか否かを判定する。インデックスファイルのXML記述において、再生が終了したクリップが最後のクリップではなく、まだ続きがあると判定した場合、再生制御部１５は、ステップＳ２３４に処理を進め、そのクリップのクリップディレクトリの属性情報を参照し、そのクリップが再生可能であるか否かを判定する。
【０１８３】
クリップディレクトリの属性が例えば「読み取り禁止」等であり、再生不可能であると判定した場合、再生制御部１５は、ステップＳ２３３に処理を戻し、それ以降の処理を繰り返すことにより、さらに次のクリップについての処理を行う。
【０１８４】
ステップＳ２３４において、クリップディレクトリの属性が例えば「読み取り可能」等であり、再生可能であると判定した場合、再生制御部１５は、ステップＳ２３５に処理を進め、インデックスファイル保持部５１に保持されているインデックスファイルのクリップテーブルを参照し、その情報に基づいて、指定されたクリップを再生する。クリップの再生を開始した再生制御部１５は、ステップＳ２３１に処理を戻し、それ以降の処理を繰り返す。
【０１８５】
すなわち、再生制御部１５は、ステップＳ２３１乃至ステップＳ２３５の処理を繰り返しながら、インデックスファイルに記述された順番で全てのクリップを再生する。
【０１８６】
そして、ステップＳ２３３において、インデックスファイルのXML記述において、最後のクリップの再生が終了し、次のクリップが存在しないと判定した場合、再生制御部１５は、ステップＳ２３６に処理を進め、再生を停止し、ステップＳ２３７において、インデックスファイル保持部５１に保持されているインデックスファイルのクリップテーブルに基づいて、最初のクリップの先頭フレームを再生開始フレームとして読み込み、処理を図２５のステップＳ２０６に戻し、それ以降の処理を繰り返す。
【０１８７】
すなわち、テープライク再生が最後まで行われた場合（最後まで再生された場合）、再生制御部は、再生処理を停止し、次回の再生処理における再生開始フレームとして、インデックスファイルのXML記述における最初のクリップの、最初のフレームを設定する。
【０１８８】
また、ステップＳ２３１において、再生途中に、ユーザ等より再生停止指示を受け付けたと判定した場合、再生制御部１５は、ステップＳ２３８において再生を停止し、ステップＳ２３９において、停止したフレームを次回の再生処理における再生開始フレームに設定する。再生開始フレームの設定が完了した再生制御部１５は、処理を図２５のステップＳ２０６に戻し、それ以降の処理を繰り返す。
【０１８９】
以上のようにすることにより、記録再生装置１は、ディスク３２に再生履歴を記録することができ、次回のテープライク再生処理において、その再生履歴を利用し、前回再生を停止した位置よりテープライク再生を再開することができる。
【０１９０】
次に、エディットリストを指定して再生する場合に実行されるエディットリスト指定再生処理を、図２７および図２８のフローチャートを参照して説明する。
【０１９１】
ユーザ等にエディットリストが指定され、そのエディットリストの再生が指示されると、再生制御部１５のディスクインフォメーション管理部６３は、図２７のステップＳ３１１において、情報保持部１４のディスクインフォメーションファイル保持部５２に保持されているディスクインフォメーションファイルを参照し、その再生履歴に、再生が指示されたエディットリストの再生履歴が存在するか否かを判定する。
【０１９２】
なお、ディスク挿入時にディスクインフォメーションファイルを読み込んでいない場合、ステップＳ３１１において、ディスクインフォメーションファイル読み出し部６２がディスク３２上のディスクインフォメーションファイルから、再生が指示されたエディットリストの再生履歴を読み出す処理を行い、ディスクインフォメーション管理部６３は、ディスクインフォメーションファイル読み出し部６２がそのエディットリストの再生履歴を読み出せたか否かに基づいて、再生履歴に、再生が指示されたエディットリストの再生履歴が存在するか否かを判定する。
【０１９３】
図２７のステップＳ３１１において、再生が指示されたエディットリストの再生履歴が存在すると判定した場合、ディスクインフォメーションファイル管理部６３は、ステップＳ３１２に処理を進める。ステップＳ３１２において、再生制御部１５は、その再生履歴において指定されたフレームを再生開始フレームとしてディスク３２より読み込み、ステップＳ３１４に処理を進める。
【０１９４】
また、ステップＳ３１１において、再生が指示されたエディットリストの再生履歴が存在しないと判定した場合、ディスクインフォメーションファイル管理部６３は、ステップＳ３１３に処理を進める。ステップＳ３１３において、再生制御部１５は、エディットリストファイルのXML記述に基づいて、最初のクリップの先頭フレームを再生開始フレームとしてディスク３２より読み込み、ステップＳ３１４に処理を進める。
【０１９５】
なお、最初のクリップとは、図２２に示されるようなエディットリストファイルのXML記述において、最初に再生するように指示されているクリップのことであり、先頭フレームとは、エディットリストファイルのXML記述や、例えば、図１７および図１８に示されるような、そのエディットリストに対応するクリップのクリップインフォメーションファイル等で指定された、最初に再生するフレームのことである。従って、最初のフレームはクリップの素材データの第１フレームとは限らない。例えば、エディットリストファイルのXML記述においてそのクリップの途中のフレームから再生するように指示されている場合は、そのフレームが最初のフレームとなる。
【０１９６】
ステップＳ３１４において、再生制御部１５は、再生開始位置変更指示を受け付けたか否かを判定する。例えば、ユーザが入力部２１を操作して、再生開始位置変更の指示を入力した場合、再生制御部１５は、再生開始位置変更指示を受け付けたと判定し、ステップＳ３１５に処理を進め、エディットリストファイルのXML記述に基づいて、指定されたフレームに対応するクリップのクリップインフォメーションファイルを参照し、指定されたフレームを再生開始フレームとしてディスク３２より読み込み、ステップＳ３１６に処理を進める。また、ステップＳ３１４において、再生開始位置変更指示を受け付けていないと判定した場合、再生制御部１５は、ステップＳ３１５の処理を省略し、ステップＳ３１６に処理を進める。
【０１９７】
ステップＳ３１６において、再生制御部１５は、エディットリスト指定再生処理を終了するか否かを判定する。エディットリスト指定再生処理を終了しないと判定した場合、再生制御部１５は、ステップＳ３１７に処理を進め、再生開始指示を受け付けたか否かを判定する。再生開始指示を受け付けていないと判定した場合、再生制御部１５は、ステップＳ３１４に処理を戻し、それ以降の処理を繰り返す。
【０１９８】
すなわち、再生制御部１５は、ステップＳ３１４乃至Ｓ３１７の処理を繰り返しながら、再生開始指示を受け付けるか、または、エディットリスト指定再生処理を終了するまで待機する。そして、ステップＳ３１７において、再生開始指示を受け付けたと判定した場合、再生制御部１５は、ステップＳ３１８において、エディットリストファイルのXML記述に基づいて、クリップインフォメーションファイルを参照し、そのクリップインフォメーションファイルの情報に従って、再生開始フレームからの再生を開始する。再生を開始すると、再生制御部１５は、図２８のステップＳ３４１に処理を進める。
【０１９９】
なお、ステップＳ３１８において、再生制御部１５が、エディットリストファイルのXML記述に基づいて、インデックスファイルのクリップテーブルを参照するようにしてもよい。インデックスファイルのクリップテーブルの各クリップ要素には、クリップインフォメーションファイルと基本的に同様の情報が記述されており、クリップテーブルのクリップ要素を参照しても、再生制御部１５は、クリップを読み出し、再生することができる。
【０２００】
また、ステップ図２７のステップＳ３１６において、ユーザの指示等に基づいて、エディットリスト指定再生処理を終了すると判定した場合、再生制御部１５のディスクインフォメーションファイル管理部６３は、ステップＳ３１９に処理を進め、ディスクインフォメーションファイルの再生履歴を更新する。このとき、ディスクインフォメーションファイルが、ディスク挿入処理の際にディスク３２より読み出され、ディスクインフォメーションファイル保持部５２に保持されている場合は、ディスクインフォメーションファイル管理部６３は、ディスクインフォメーションファイル保持部５２に保持されているディスクインフォメーションファイルの再生履歴を更新する。また、ディスクインフォメーションファイルが、ディスク挿入処理の際にディスク３２より読み出されておらず、ディスク３２にしか存在しない場合、ディスクインフォメーションファイル管理部６３は、ディスクインフォメーションファイル記録制御部８２に更新する再生履歴（ディスクインフォメーションファイル）を供給し、ディスクインフォメーションファイル記録制御部８２は、供給された再生履歴を用いて、ディスク３２に記録されているディスクインフォメーションファイルを更新する。なお、ディスクインフォメーションファイルの更新の詳細については、図３１および図３２のフローチャートを参照して後述する。
【０２０１】
ディスクインフォメーションファイルが更新されると、再生制御部１５は、ステップＳ３２０において終了処理を実行し、エディットリスト指定再生処理を終了する。
【０２０２】
図２７のステップＳ３１８において、クリップの再生が開始されると、再生制御部１５は、図２８のステップＳ３４１において、再生停止指示を受け付けたか否かを判定する。再生停止指示を受け付けておらず再生処理を続けると判定した場合、再生制御部１５は、ステップＳ３４２に処理を進め、現在のクリップの再生が終了したか否かを判定し、終了していないと判定した場合、再生制御部１５は、ステップＳ３４１に処理を戻し、再生処理をそのまま続ける。
【０２０３】
ステップＳ３４２において、現在のクリップの再生が終了したと判定した場合、再生制御部１５は、ステップＳ３４３に処理を進め、エディットリストファイルのXML記述に基づいて、次に再生するクリップが存在するか否かを判定する。再生が終了したクリップが、エディットリストファイルのXML記述において最後のクリップではなく、まだ続きがあると判定した場合、再生制御部１５は、ステップＳ３４４に処理を進め、そのクリップのクリップディレクトリの属性情報を参照し、そのクリップが再生可能であるか否かを判定する。
【０２０４】
クリップディレクトリの属性が例えば「読み取り禁止」等であり、再生不可能であると判定した場合、再生制御部１５は、そのクリップの再生を行わずに、ステップＳ３４３に処理を戻し、それ以降の処理を繰り返すことにより、さらに次のクリップについての処理を行う。
【０２０５】
ステップＳ３４４において、クリップディレクトリの属性が例えば「読み取り可能」等であり、再生可能であると判定した場合、再生制御部１５は、ステップＳ３４５に処理を進め、エディットリストファイルのXML記述に基づいて、指定されたクリップのクリップインフォメーションファイルを参照し、その情報に基づいてクリップを再生する。クリップの再生を開始した再生制御部１５は、ステップＳ３４１に処理を戻し、それ以降の処理を繰り返す。
【０２０６】
すなわち、再生制御部１５は、ステップＳ３４１乃至ステップＳ３４５の処理を繰り返しながら、エディットリストファイルの記述に基づいた順番でクリップを再生する。
【０２０７】
なお、ステップＳ３４５において、再生制御部１５が、エディットリストファイルのXML記述に基づいて、インデックスファイルのクリップテーブルを参照するようにしてもよい。インデックスファイルのクリップテーブルの各クリップ要素には、クリップインフォメーションファイルと基本的に同様の情報が記述されており、クリップテーブルのクリップ要素を参照しても、再生制御部１５は、クリップを読み出し、再生することができる。
【０２０８】
ステップＳ３４３において、エディットリストファイルのXML記述における最後のクリップの再生が終了し、次のクリップが存在しないと判定した場合、再生制御部１５は、ステップＳ３４６に処理を進め、再生を停止し、ステップＳ３４７において、エディットリストファイルのXML記述に基づいて、クリップインフォメーションファイル、またはインデックスファイルのクリップテーブルを参照し、その情報に基づいて、最初のクリップの先頭フレームを再生開始フレームとして読み込み、処理を図２７のステップＳ３１６に戻し、それ以降の処理を繰り返す。
【０２０９】
すなわち、エディットリスト指定再生において最後まで再生した場合、再生制御部は、再生処理を停止し、次回の再生処理における再生開始フレームとして、エディットリストファイルのXML記述における最初のクリップの、最初のフレームを設定する。
【０２１０】
また、図２８のステップＳ３４１において、再生途中に、ユーザ等より再生停止指示を受け付けたと判定した場合、再生制御部１５は、ステップＳ３４８において再生を停止し、ステップＳ３４９において、停止したフレームを次回の再生処理における再生開始フレームに設定する。再生開始フレームの設定が完了した再生制御部１５は、処理を図２７のステップＳ３１６に戻し、それ以降の処理を繰り返す。
【０２１１】
以上のようにすることにより、記録再生装置１は、エディットリスト指定再生時に、ディスク３２に再生履歴を記録することができ、次回のエディットリスト指定再生処理において、その再生履歴を利用し、前回再生を停止した位置よりエディットリスト指定再生を再開することができる。
【０２１２】
次に、クリップを指定して再生する場合に実行されるクリップ指定再生処理を、図２９および図３０のフローチャートを参照して説明する。
【０２１３】
ユーザ等にクリップが指定され、そのクリップの再生が指示されると、再生制御部１５のディスクインフォメーション管理部６３は、図２９のステップＳ３７１において、情報保持部１４のディスクインフォメーションファイル保持部５２に保持されているディスクインフォメーションファイルを参照し、その再生履歴に、再生が指示されたクリップの、クリップ指定再生の履歴が存在するか否かを判定する。
【０２１４】
なお、ディスク挿入時にディスクインフォメーションファイルを読み込んでいない場合、ステップＳ３７１において、ディスクインフォメーションファイル読み出し部６２がディスク３２上のディスクインフォメーションファイルから、再生が指示されたクリップの、クリップ指定再生の履歴を読み出す処理を行い、ディスクインフォメーション管理部６３は、ディスクインフォメーションファイル読み出し部６２が、そのクリップ指定再生の履歴を読み出せたか否かに基づいて、再生履歴に、再生が指示されたクリップの、クリップ指定再生の履歴が存在するか否かを判定する。
【０２１５】
図２９のステップＳ３７１において、再生が指示されたクリップの、クリップ指定再生の履歴が存在すると判定した場合、ディスクインフォメーションファイル管理部６３は、ステップＳ３７２に処理を進める。ステップＳ３７２において、再生制御部１５は、その再生履歴において指定されたフレームを再生開始フレームとしてディスク３２より読み込み、ステップＳ３７４に処理を進める。
【０２１６】
また、ステップＳ３７１において、再生が指示されたクリップの、クリップ指定再生の履歴が存在しないと判定した場合、ディスクインフォメーションファイル管理部６３は、ステップＳ３７３に処理を進める。ステップＳ３７３において、再生制御部１５は、クリップインフォメーションファイルのXML記述に基づいて、先頭フレームを再生開始フレームとしてディスク３２より読み込み、ステップＳ３７４に処理を進める。
【０２１７】
なお、最初のクリップとは、図１７および図１８に示されるようなクリップインフォメーションファイルのXML記述において指定された、最初に再生するフレームのことである。従って、最初のフレームはクリップの素材データの第１フレームとは限らない。例えば、クリップインフォメーションファイルのXML記述において、途中のフレームから再生するように指示されている場合は、そのフレームが最初のフレームとなる。
【０２１８】
ステップＳ３７４において、再生制御部１５は、再生開始位置変更指示を受け付けたか否かを判定する。例えば、ユーザが入力部２１を操作して、再生開始位置変更の指示を入力した場合、再生制御部１５は、再生開始位置変更指示を受け付けたと判定し、ステップＳ３７５に処理を進め、クリップインフォメーションファイルのXML記述に基づいて、指定されたフレームを再生開始フレームとしてディスク３２より読み込み、ステップＳ３７６に処理を進める。また、ステップＳ３７４において、再生開始位置変更指示を受け付けていないと判定した場合、再生制御部１５は、ステップＳ３７５の処理を省略し、ステップＳ３７６に処理を進める。
【０２１９】
ステップＳ３７６において、再生制御部１５は、クリップ指定再生処理を終了するか否かを判定する。クリップ指定再生処理を終了しないと判定した場合、再生制御部１５は、ステップＳ３７７に処理を進め、再生開始指示を受け付けたか否かを判定する。再生開始指示を受け付けていないと判定した場合、再生制御部１５は、ステップＳ３７４に処理を戻し、それ以降の処理を繰り返す。
【０２２０】
すなわち、再生制御部１５は、ステップＳ３７４乃至Ｓ３７７の処理を繰り返しながら、再生開始指示を受け付けるか、または、クリップ指定再生処理を終了するまで待機する。そして、ステップＳ３７７において、再生開始指示を受け付けたと判定した場合、再生制御部１５は、ステップＳ３７８において、クリップインフォメーションファイルのXML記述に基づいて、再生開始フレームからの再生を開始する。再生を開始すると、再生制御部１５は、図３０のステップＳ４０１に処理を進める。
【０２２１】
なお、ステップＳ３７８において、再生制御部１５が、インデックスファイルのクリップテーブルを参照するようにしてもよい。インデックスファイルのクリップテーブルの各クリップ要素には、クリップインフォメーションファイルと基本的に同様の情報が記述されており、クリップテーブルのクリップ要素を参照しても、再生制御部１５は、クリップを読み出し、再生することができる。
【０２２２】
また、ステップ図２９のステップＳ３７６において、ユーザの指示等に基づいて、クリップ指定再生処理を終了すると判定した場合、再生制御部１５のディスクインフォメーションファイル管理部６３は、ステップＳ３７９に処理を進め、ディスクインフォメーションファイルの再生履歴を更新する。このとき、ディスクインフォメーションファイルが、ディスク挿入処理の際にディスク３２より読み出され、ディスクインフォメーションファイル保持部５２に保持されている場合は、ディスクインフォメーションファイル管理部６３は、ディスクインフォメーションファイル保持部５２に保持されているディスクインフォメーションファイルの再生履歴を更新する。また、ディスクインフォメーションファイルが、ディスク挿入処理の際にディスク３２より読み出されておらず、ディスク３２にしか存在しない場合、ディスクインフォメーションファイル管理部６３は、ディスクインフォメーションファイル記録制御部８２に更新する再生履歴（ディスクインフォメーションファイル）を供給し、ディスクインフォメーションファイル記録制御部８２は、供給された再生履歴を用いて、ディスク３２に記録されているディスクインフォメーションファイルを更新する。なお、ディスクインフォメーションファイルの更新の詳細については、図３１および図３２のフローチャートを参照して後述する。
【０２２３】
ディスクインフォメーションファイルが更新されると、再生制御部１５は、ステップＳ３８０において終了処理を実行し、クリップ指定再生処理を終了する。
【０２２４】
図２９のステップＳ３７８において、クリップの再生が開始されると、再生制御部１５は、図３０のステップＳ４０１において、再生停止指示を受け付けたか否かを判定する。再生停止指示を受け付けておらず再生処理を続けると判定した場合、再生制御部１５は、ステップＳ４０２に処理を進め、クリップの再生が終了したか否かを判定し、終了していないと判定した場合、再生制御部１５は、ステップＳ４０１に処理を戻し、再生処理をそのまま続ける。
【０２２５】
ステップＳ４０２において、クリップの再生が終了したと判定した場合、再生制御部１５は、ステップＳ４０３に処理を進め、再生を停止し、ステップＳ４０４において、クリップインフォメーションファイルのXML記述に基づいて、先頭フレームを再生開始フレームとして読み込み、処理を図２９のステップＳ３７６に戻し、それ以降の処理を繰り返す。
【０２２６】
すなわち、クリップ指定再生において最後まで再生した場合、再生制御部１５は、再生処理を停止し、次回の再生処理における再生開始フレームとして、クリップインフォメーションファイルのXML記述に基づいて最初のフレームを設定する。
【０２２７】
また、図３０のステップＳ４０１において、再生途中に、ユーザ等より再生停止指示を受け付けたと判定した場合、再生制御部１５は、ステップＳ４０５において再生を停止し、ステップＳ４０６において、停止したフレームを次回の再生処理における再生開始フレームに設定する。再生開始フレームの設定が完了した再生制御部１５は、処理を図２９のステップＳ３３７６に戻し、それ以降の処理を繰り返す。
【０２２８】
以上のようにすることにより、記録再生装置１は、クリップ指定再生時に、ディスク３２に再生履歴を記録することができ、次回のクリップ指定再生処理において、その再生履歴を利用し、前回再生を停止した位置よりクリップ指定再生を再開することができる。
【０２２９】
以上のような再生処理が終了する際に、記録再生装置１の各部は、ディスクインフォメーションファイル更新処理を実行し、ディスク３２に記録されているディスクインフォメーションファイルの再生履歴を更新する。図３１および図３２を参照して、ディスクインフォメーションファイル更新処理について説明する。
【０２３０】
ディスクインフォメーションファイル更新処理が開始されると、ディスクインフォメーションファイル管理部６３は、最初に、図３１のステップＳ４２１において、再生制御部１５が停止した再生の種類がテープライク再生であるか否かを判定する。
【０２３１】
なお、ディスク挿入時にディスクインフォメーションファイルを読み込んでいない場合、ステップＳ４２１の処理の前に、ディスクインフォメーションファイル読み出し部６２が、ディスク３２上のディスクインフォメーションファイルを読み出し、ディスクインフォメーションファイル保持部５２に保持する。
【０２３２】
ステップＳ４２１においてテープライク再生であると判定した場合、ディスクインフォメーションファイル管理部６３は、ステップＳ４２２において、今回のテープライク再生の履歴を作成し、ステップＳ４２３に処理を進める。ステップＳ４２３において、ディスクインフォメーションファイル管理部６３は、ディスクインフォメーションファイル保持部５２に保持されているディスクインフォメーションファイルの再生履歴（現在の再生履歴）を参照し、その現在の再生履歴に、テープライク再生の履歴が存在するか否かを判定する。
【０２３３】
ステップＳ４２３において、現在の再生履歴にテープライク再生の履歴が存在すると判定した場合、ディスクインフォメーションファイル管理部６３は、ステップＳ４２４に処理を進め、ディスクインフォメーションファイル保持部５２に保持されているディスクインフォメーションファイルの再生履歴にある古いテープライク再生の履歴を消去し、作成した新しいテープライク再生の履歴を、再生履歴の最新の位置に登録する。例えば、図１１の場合、ディスクインフォメーションファイル管理部６３は、図１１の６行目のテープライク再生の履歴を削除し、５行目の履歴を６行目に移動し、４行目の履歴を５行目に移動し、再生履歴の一番上の行である４行目（再生履歴の最新の位置）に、新しく作成したテープライク再生の履歴を挿入する。
【０２３４】
ステップＳ４２４の処理を終了したディスクインフォメーションファイル管理部６３は、ステップＳ４２６に処理を進める。
【０２３５】
また、ステップＳ４２３において、現在の再生履歴にテープライク再生の履歴が存在しないと判定した場合、ディスクインフォメーションファイル管理部６３は、ステップＳ４２５に処理を進め、ディスクインフォメーションファイル保持部５２に保持されているディスクインフォメーションファイルの再生履歴の一番古い履歴を消去し、ステップＳ４２２において新たに作成したテープライク再生の履歴を最新の位置に登録する。例えば、図１１のXML記述において、６行目がテープライク再生の履歴でなかったとすると、ディスクインフォメーションファイル管理部６３は、図１１の９行目の履歴を削除し、４行目乃至８行目の履歴をそれぞれ、１行ずつ下に移動して５行目乃至９行目に移動し、再生履歴の一番上の行である４行目（再生履歴の最新の位置）に、新しく作成したテープライク再生の履歴を挿入する。
【０２３６】
ステップＳ４２５の処理を終了したディスクインフォメーションファイル管理部６３は、ステップＳ４２６に処理を進める。
【０２３７】
また、ステップＳ４２１において、再生制御部１５が停止した再生の種類がテープライク再生では無いと判定した場合、ディスクインフォメーションファイル管理部６３は、ステップＳ４２６に処理を進める。
【０２３８】
ステップＳ４２６において、ディスクインフォメーションファイル管理部６３は、再生制御部１５が停止した再生の種類がエディットリスト指定再生であるか否かを判定する。
【０２３９】
ステップＳ４２６においてエディットリスト指定再生であると判定した場合、ディスクインフォメーションファイル管理部６３は、ステップＳ４２７において、今回のエディットリスト指定再生の履歴を作成し、ステップＳ４２８に処理を進める。ステップＳ４２８において、ディスクインフォメーションファイル管理部６３は、ディスクインフォメーションファイル保持部５２に保持されているディスクインフォメーションファイルの再生履歴（現在の再生履歴）を参照し、その現在の再生履歴に、今回作成したエディットリスト指定再生の履歴と同じエディットリストに対応するエディットリスト指定再生の履歴が存在するか否かを判定する。
【０２４０】
ステップＳ４２８において、現在の再生履歴に、今回作成したエディットリスト指定再生の履歴と同一のエディットリストに対応するエディットリスト指定再生の履歴が存在すると判定した場合、ディスクインフォメーションファイル管理部６３は、ステップＳ４２９に処理を進め、ディスクインフォメーションファイル保持部５２に保持されているディスクインフォメーションファイルの再生履歴にある古いエディットリスト指定再生の履歴を消去し、ステップＳ４２７において作成した新しいエディットリスト指定再生の履歴を、再生履歴の最新の位置に登録する。例えば、図１１の場合において、「Ｅ０００４」のエディットリストの再生履歴を作成したとき、ディスクインフォメーションファイル管理部６３は、図１１の７行目のエディットリスト指定再生の履歴を削除し、６行目の履歴を５行目に移動し、５行目の履歴を６行目に移動し、４行目の履歴を５行目に移動し、再生履歴の一番上の行である４行目（再生履歴の最新の位置）に、新しく作成した「Ｅ０００４」のエディットリスト指定再生の履歴を挿入する。
【０２４１】
ステップＳ４２９の処理を終了したディスクインフォメーションファイル管理部６３は、図３２のステップＳ４５１に処理を進める。
【０２４２】
また、ステップＳ４２８において、現在の再生履歴に、今回作成したエディットリスト指定再生の履歴と同一のエディットリストに対応するエディットリスト指定再生の履歴が存在しないと判定した場合、ディスクインフォメーションファイル管理部６３は、ステップＳ４３０に処理を進め、ディスクインフォメーションファイル保持部５２に保持されているディスクインフォメーションファイルの再生履歴の一番古い履歴を消去し、ステップＳ４２７において新たに作成したエディットリスト指定再生の履歴を最新の位置に登録する。例えば、図１１の場合において、「Ｅ０００３」のエディットリストの再生履歴を作成したとき、ディスクインフォメーションファイル管理部６３は、図１１の再生履歴に「Ｅ０００３」のエディットリスト指定再生の履歴が存在しないので、図１１の９行目の履歴を削除し、４行目乃至８行目の履歴をそれぞれ、１行ずつ下に移動して５行目乃至９行目に移動し、再生履歴の一番上の行である４行目（再生履歴の最新の位置）に、新しく作成した「Ｅ０００３」のエディットリスト指定再生の履歴を挿入する。
【０２４３】
ステップＳ４３０の処理を終了したディスクインフォメーションファイル管理部６３は、図３２のステップＳ４５１に処理を進める。
【０２４４】
また、ステップＳ４２６において、再生制御部１５が停止した再生の種類がエディットリスト指定再生では無いと判定した場合、ディスクインフォメーションファイル管理部６３は、図３２のステップＳ４５１に処理を進める。
【０２４５】
図３２のステップＳ４５１において、ディスクインフォメーションファイル管理部６３は、再生制御部１５が停止した再生の種類がクリップ指定再生であるか否かを判定する。
【０２４６】
ステップＳ４５１においてクリップ指定再生であると判定した場合、ディスクインフォメーションファイル管理部６３は、ステップＳ４５２において、今回のクリップ指定再生の履歴を作成し、ステップＳ４５３に処理を進める。ステップＳ４５３において、ディスクインフォメーションファイル管理部６３は、ディスクインフォメーションファイル保持部５２に保持されているディスクインフォメーションファイルの再生履歴（現在の再生履歴）を参照し、その現在の再生履歴に、今回作成したクリップ指定再生の履歴と同じクリップに対応するクリップ指定再生の履歴が存在するか否かを判定する。
【０２４７】
ステップＳ４５３において、現在の再生履歴に、今回作成したクリップ指定再生の履歴と同一のクリップに対応するクリップ指定再生の履歴が存在すると判定した場合、ディスクインフォメーションファイル管理部６３は、ステップＳ４５４に処理を進め、ディスクインフォメーションファイル保持部５２に保持されているディスクインフォメーションファイルの再生履歴にある古いクリップ指定再生の履歴を消去し、ステップＳ４５２において作成した新しいクリップ指定再生の履歴を、再生履歴の最新の位置に登録する。例えば、図１１の場合において、「Ｃ０００３」のクリップのクリップ指定再生の履歴を作成したとき、ディスクインフォメーションファイル管理部６３は、図１１の４行目のクリップ指定再生の履歴を削除し、再生履歴の一番上の行である４行目（再生履歴の最新の位置）に、新しく作成した「Ｃ０００３」のクリップ指定再生の履歴を挿入する。
【０２４８】
このとき、図１１の６行目にも「Ｃ０００３」の再生履歴が存在するが、この再生履歴はテープライク再生の履歴であり、クリップ指定再生の履歴では無いのでステップＳ４５４の処理では更新されない。
【０２４９】
ステップＳ４５４の処理を終了したディスクインフォメーションファイル管理部６３は、ステップＳ４５６に処理を進める。
【０２５０】
また、ステップＳ４５３において、現在の再生履歴に、今回作成したクリップ指定再生の履歴と同一のクリップに対応するクリップ指定再生の履歴が存在しないと判定した場合、ディスクインフォメーションファイル管理部６３は、ステップＳ４５５に処理を進め、ディスクインフォメーションファイル保持部５２に保持されているディスクインフォメーションファイルの再生履歴の一番古い履歴を消去し、ステップＳ４５２において新たに作成したクリップ指定再生の履歴を最新の位置に登録する。例えば、図１１の場合において、「Ｃ０００１」のクリップ指定再生の履歴を作成したとき、ディスクインフォメーションファイル管理部６３は、図１１の再生履歴に「Ｃ０００１」のクリップ指定再生の履歴が存在しないので、図１１の９行目の履歴を削除し、４行目乃至８行目の履歴をそれぞれ、１行ずつ下に移動して５行目乃至９行目に移動し、再生履歴の一番上の行である４行目（再生履歴の最新の位置）に、新しく作成した「Ｃ０００１」のクリップ指定再生の履歴を挿入する。
【０２５１】
ステップＳ４５５の処理を終了したディスクインフォメーションファイル管理部６３は、図３２のステップＳ４５６に処理を進める。
【０２５２】
また、ステップＳ４５１において、再生制御部１５が停止した再生の種類がクリップ指定再生では無いと判定した場合、ディスクインフォメーションファイル管理部６３は、ステップＳ４５６に処理を進める。
【０２５３】
ステップＳ４５６において、ディスクインフォメーションファイル記録制御部８２は、ディスクインフォメーションファイル保持部５２に保持されている、更新されたディスクインフォメーションファイルをディスク３２に記録されているディスクインフォメーションファイルに上書きして記録する。
【０２５４】
ステップＳ４５６の処理を終了したディスクインフォメーションファイル記録制御部８２は、ディスクインフォメーションファイル更新処理を終了する。
【０２５５】
以上のようにディスクインフォメーションファイル更新処理を実行することにより、記録再生装置１は、様々な方法による素材データの再生時に、ディスク３２に再生履歴を記録することができ、次回の再生処理において、その再生履歴を利用し、前回再生を停止した位置（フレーム）より再生を再開することができる。
【０２５６】
また、再生履歴を、他の情報とは別の１つのファイルとしてディスク３２に記録するので、記録再生装置１は、再生履歴を更新する際に、更新が不要な他の情報を更新する必要がなく、更新時に誤って他の情報を破壊してしまうことを抑制することができるとともに、再生履歴の更新時に更新するデータ量を減らすことができ、更新処理の負荷や処理時間を軽減させることができる。また、これにより記録再生装置１の製造コストを削減することができる。
【０２５７】
以上においては、図１に示されるような記録再生装置を用いて素材データを再生する場合について説明したが、これに限らず、例えば、素材データを編集する編集装置であってもよいし、素材データの再生処理を行う再生装置であってもよい。なお、本発明を適用した編集装置の構成は、図１に示される記録再生装置１の構成を含んでいればよく、この編集装置による素材データの再生に関する処理は、上述した記録再生装置１の場合と同様であるので、その説明を省略する。
【０２５８】
図３３は、本発明を適用した再生装置の構成例を示すブロック図である。図１に示される場合と同様の部分については同一の符号を付しており、その説明を省略する。
【０２５９】
再生装置３００は、上述したディスク３２に記録された素材データを再生する再生装置であり、ディスクインフォメーションファイルをディスク３２に記録する記録制御部３１１を有し、上述した記録再生装置１の場合と同様に、ディスクインフォメーションファイルを利用し、素材データを、前回の再生停止位置より再生することができる。
【０２６０】
記録制御部３１１は、図４に示される記録再生装置１の記録制御部１６の場合と同様に、ディスクインフォメーションファイル作成部８１、およびディスクインフォメーションファイル記録制御部８２を有しており、これらを用いて、ディスクインフォメーションファイルを作成したり、新たに作成された再生履歴を、ドライブ２６に装着されたディスク３２に記録したりすることができる。
【０２６１】
なお、再生装置３００は、図１の記録再生装置１より、素材データの記録機能を削除したものであり、ディスク３２に記録されている素材データの再生処理は、上述した記録再生装置１の場合と同様である。すなわち、再生装置３００は、ディスク３２に記録されている素材データを、テープライク再生、エディットリスト指定再生、または、クリップ指定再生などの方法を用いて、再生し、その再生履歴をディスク３２に記録することができる。また、再生装置３００は、再生開始時に、ディスク３２に記録されている再生履歴を参照して、前回の再生停止位置から素材データを再生することができる。
【０２６２】
また、再生履歴を、他の情報とは別の１つのファイルとしてディスク３２に記録するので、再生装置３００は、再生履歴を更新する際に、更新が不要な他の情報を更新する必要がなく、更新時に誤って他の情報を破壊してしまうことを抑制することができるとともに、再生履歴の更新時に更新するデータ量を減らすことができ、更新処理の負荷や処理時間を軽減させることができる。また、これにより再生装置３００の製造コストを削減することができる。
【０２６３】
なお、以上においては、ディスクインフォメーションファイルの再生履歴において、再生停止位置は、フレーム単位で記憶されるように説明したが、これに限らず、どのような単位であってもよく、例えば、GOP（Group of Picture）単位であってもよいし、フレーム単位とは異なる単位のタイムコード等であってもよい。
【０２６４】
また、ディスクインフォメーションファイルの再生履歴において、再生停止位置は、第１フレーム（または先頭フレーム）からのフレーム数で記憶されるように説明したが、これに限らず、どの位置を基準としてもよい。
【０２６５】
以上のように、本発明を適用した記録再生装置、編集装置、または再生装置は、素材データの再生履歴を他の情報と異なるファイルとしてディスク３２に記録し、再生開始時に、そのディスク３２に記録された再生履歴を用いて、再生開始位置を決定する処理を行えばよく、このような内容の処理と同様の処理であれば、どのような方法で処理を行ってもよいし、このような処理以外の処理をさらに行ってもよい。また、本発明を適用した記録再生装置、編集装置、または再生装置の構成は、このような処理を実行可能であれば、上述した構成以外の構成であってももちろんよい。
【０２６６】
上述した一連の処理は、ハードウエアにより実行させることもできるし、ソフトウエアにより実行させることもできる。ソフトウエアにより実行される場合、上述した画像処理装置は、図３４に示されるようなパーソナルコンピュータにより構成される。なお、図３４において、図１に示される場合と同様の部分については同一の符号を付しており、その説明を省略する。
【０２６７】
図３４において、パーソナルコンピュータ４００のCPU４０１は、ROM４０２に記憶されているプログラム、または記憶部４１３からRAM４０３にロードされたプログラムに従って各種の処理を実行する。RAM４０３にはまた、CPU４０１が各種の処理を実行する上において必要なデータなども適宜記憶される。
【０２６８】
CPU４０１、ROM４０２、およびRAM４０３は、バス４０４を介して相互に接続されている。このバス４０４にはまた、入出力インタフェース４１０も接続されている。
【０２６９】
入出力インタフェース４１０には、キーボード、マウスなどよりなる入力部４１１、CRT(Cathode Ray Tube)、LCD(Liquid Crystal display)などよりなるディスプレイ、並びにスピーカなどよりなる出力部４１２、ハードディスクなどより構成される記憶部４１３、モデムなどより構成される通信部４１４が接続されている。通信部４１４は、インターネットを含むネットワークを介しての通信処理を行う。
【０２７０】
入出力インタフェース４１０にはまた、必要に応じてドライブ４１５が接続され、磁気ディスク、光ディスク、光磁気ディスク、或いは半導体メモリなどのリムーバブルメディア４２１が適宜装着され、それらから読み出されたコンピュータプログラムが、必要に応じて記憶部４１３にインストールされる。
【０２７１】
一連の処理をソフトウエアにより実行させる場合には、そのソフトウエアを構成するプログラムが、ネットワークや記録媒体からインストールされる。
【０２７２】
この記録媒体は、図１、図３３、または図３４に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブルメディア３１またはリムーバブルメディア４２１により構成されるだけでなく、装置本体に予め組み込まれた状態でユーザに提供される、プログラムが記録されているROM１２またはROM４０２や、記憶部２３または記憶部４１３に含まれるハードディスクなどで構成される。
【０２７３】
なお、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０２７４】
また、本明細書において、システムとは、複数の装置により構成される装置全体を表すものである。
【０２７５】
【発明の効果】
以上のように、本発明によれば、記録媒体に記録された画像データや音声データ等を再生することができる。特に、より容易に再生処理を行うことができるようにする等の、記録媒体の利便性を向上させることができる。
【図面の簡単な説明】
【図１】本発明を適用した記録再生装置の構成例を示す図である。
【図２】図１の情報保持部の詳細な構成例を示すブロック図である。
【図３】図１の再生制御部の詳細な構成例を示すブロック図である。
【図４】図１の記録制御部の詳細な構成例を示すブロック図である。
【図５】図２乃至図４に示される各部が行う処理の関係を示す機能ブロック図である。
【図６】ディスクフォーマット処理を説明するフローチャートである。
【図７】インデックスファイルのXML記述の例を示す図である。
【図８】インデックスファイルのXML記述の例を示す、図７に続く図である。
【図９】インデックスファイルのXML記述の例を示す、図８に続く図である。
【図１０】インデックスファイルのXML記述の例を示す、図９に続く図である。
【図１１】ディスクインフォメーションファイルのXML記述の例を示す図である。
【図１２】図１のディスク内のディレクトリ構造の例を示す図である。
【図１３】図４に示されるディレクトリ構造のさらに詳細な構成例を示す図である。
【図１４】図４に示されるディレクトリ構造のさらに詳細な構成例を示す図である。
【図１５】ディスク挿入処理を説明するフローチャートである。
【図１６】クリップ追加処理を説明するフローチャートである。
【図１７】クリップインフォメーションファイルのXML記述の例を示す図である。
【図１８】クリップインフォメーションファイルのXML記述の例を示す、図１７に続く図である。
【図１９】クリップ更新処理を説明するフローチャートである。
【図２０】クリップ削除処理を説明するフローチャートである。
【図２１】エディットリスト追加処理を説明するフローチャートである。
【図２２】エディットリストファイルのXML記述の例を示す図である。
【図２３】エディットリスト更新処理を説明するフローチャートである。
【図２４】エディットリスト削除処理を説明するフローチャートである。
【図２５】テープライク再生処理を説明するフローチャートである。
【図２６】テープライク再生処理を説明する、図２５に続くフローチャートである。
【図２７】エディットリスト指定再生処理を説明するフローチャートである。
【図２８】エディットリスト指定再生処理を説明する、図２７に続くフローチャートである。
【図２９】クリップ指定再生処理を説明するフローチャートである。
【図３０】クリップ指定再生処理を説明する、図２９に続くフローチャートである。
【図３１】ディスクインフォメーションファイル更新処理を説明するフローチャートである。
【図３２】ディスクインフォメーションファイル更新処理を説明する、図３１に続くフローチャートである。
【図３３】本発明を適用した再生装置の構成例を示すブロック図である。
【図３４】本発明を適用したコンピュータの一実施の形態の構成例を示すブロック図である。
【符号の説明】
１  記録再生装置，  １４  情報保持部，  １５  再生制御部，  １６  記録制御部，  ３２  ディスク，  ５１  インデックスファイル保持部，  ５２  ディスクインフォメーションファイル保持部，  ６１  インデックスファイル読み出し部，  ６２  ディスクインフォメーションファイル読み出し部，  ６３  ディスクインフォメーションファイル管理部，  ７１  インデックスファイル作成部，  ７２  インデックスファイル管理部，  ７３  インデックスファイル記録制御部，  ８１  ディスクインフォメーションファイル作成部，  ８２  ディスクインフォメーションファイル記録制御部，  ２０４  インデックスファイル，２０６  ディスクインフォメーションファイル，  ３００  再生装置，  ３１１  記録制御部
【図１】
0004079429.tif 000002
【図２】
0004079429.tif 000003
【図３】
0004079429.tif 000004
【図４】
0004079429.tif 000005
【図５】
0004079429.tif 000006
【図６】
0004079429.tif 000007
【図７】
0004079429.tif 000008
【図８】
0004079429.tif 000009
【図９】
0004079429.tif 000010
【図１０】
0004079429.tif 000011
【図１１】
0004079429.tif 000012
【図１２】
0004079429.tif 000013
【図１３】
0004079429.tif 000014
【図１４】
0004079429.tif 000015
【図１５】
0004079429.tif 000016
【図１６】
0004079429.tif 000017
【図１７】
0004079429.tif 000018
【図１８】
0004079429.tif 000019
【図１９】
0004079429.tif 000020
【図２０】
0004079429.tif 000021
【図２１】
0004079429.tif 000022
【図２２】
0004079429.tif 000023
【図２３】
0004079429.tif 000024
【図２４】
0004079429.tif 000025
【図２５】
0004079429.tif 000026
【図２６】
0004079429.tif 000027
【図２７】
0004079429.tif 000028
【図２８】
0004079429.tif 000029
【図２９】
0004079429.tif 000030
【図３０】
0004079429.tif 000031
【図３１】
0004079429.tif 000032
【図３２】
0004079429.tif 000033
【図３３】
0004079429.tif 000034
【図３４】
0004079429.tif 000035